(57)【要約】【課題】生体が示す動脈の脈波と心臓の拍動を測定する生体情報測定装置であって、測定のための生体の身体的負担が少ないものを提供すること。【解決手段】生体８０の上肢部９０を取り巻いて装着されるベルト２０と、ベルト２０に搭載され、電波の送信および受信が可能な送受信部４０とを備える。送受信部４０は、上肢部の動脈９１と心臓８１とへ向けてそれぞれ電波Ｅ１，Ｅ２を発射する送信アンテナ部４１，４３と、上肢部の動脈９１および／またはこの動脈の脈波に伴って変位する組織９１ａと心臓８１および／またはこの心臓の拍動に伴って変位する組織８１ａとによってそれぞれ反射された電波Ｅ１′，Ｅ２′を受信する受信アンテナ部４２，４４とを含む。受信アンテナ部４２，４４の出力に基づいて、上肢部の動脈９１の脈波を表す脈波信号ＰＳ１と心臓８１の拍動を表す拍動信号ＰＳ２とを取得する生体情報検出部１１０を備える。【選択図】図１
2019071961.tif 000002
【特許請求の範囲】
【請求項１】
生体が示す動脈の脈波と心臓の拍動を測定する生体情報測定装置であって、
上記生体の上肢部を取り巻いて装着されるベルトと、
上記ベルトが上記上肢部を取り巻いて装着された装着状態で、上記生体が予め定められた推奨測定姿勢をとったとき上記ベルトのうち上記上肢部を通る動脈と心臓との両方に対向する部分に搭載された、電波の送信および受信が可能な送受信部とを備え、
上記送受信部は、
上記上肢部の動脈と上記心臓とへ向けてそれぞれ電波を発射する送信アンテナ部と、
上記上肢部の動脈および／またはこの動脈の脈波に伴って変位する組織と上記心臓および／またはこの心臓の拍動に伴って変位する組織とによってそれぞれ反射された電波を受信する受信アンテナ部と
を含み、
上記受信アンテナ部の出力に基づいて、上記上肢部の動脈の脈波を表す脈波信号と上記心臓の拍動を表す拍動信号とを取得する生体情報検出部を備えたことを特徴とする生体情報測定装置。
【請求項２】
請求項１に記載の生体情報測定装置において、
上記ベルトが帯状に延在する面に沿って、上記送信アンテナ部と上記受信アンテナ部とがそれぞれ配置され、
上記送信アンテナ部は、
上記ベルトの内周面側に配置された、上記上肢部の動脈へ向けて電波を発射する第１の送信アンテナと、
上記ベルトの外周面側に配置された、上記心臓へ向けて電波を発射する第２の送信アンテナと
を含み、
上記受信アンテナ部は、
上記ベルトの内周面側に配置された、上記上肢部の動脈および／またはこの動脈の脈波に伴って変位する組織によって反射された電波を受信する第１の受信アンテナと、
上記ベルトの外周面側に配置された、上記心臓および／またはこの心臓の拍動に伴って変位する組織によって反射された電波を受信する第２の受信アンテナと
を含むことを特徴とする生体情報測定装置。
【請求項３】
請求項２に記載の生体情報測定装置において、
上記ベルトの内周面側に配置された上記第１の送信アンテナおよび上記第１の受信アンテナと、上記ベルトの外周面側に配置された上記第２の送信アンテナおよび上記第２の受信アンテナとの間に、電波を遮蔽する遮蔽層が設けられていることを特徴とする生体情報測定装置。
【請求項４】
請求項１から３までのいずれか一つに記載の生体情報測定装置において、
上記上肢部の動脈へ向けて発射される電波の周波数と、上記心臓へ向けて発射される電波の周波数とが、互いに異なっていることを特徴とする生体情報測定装置。
【請求項５】
請求項１に記載の生体情報測定装置において、
上記ベルトが帯状に延在する面に沿って、上記送信アンテナ部と上記受信アンテナ部とがそれぞれ配置され、
上記送信アンテナ部は、上記ベルトの内周面側若しくは外周面側に沿って配置され、または、上記ベルトに埋め込まれた、上記上肢部の動脈と上記心臓との両方へ向けて電波を発射する共通の第３の送信アンテナを含み、
上記受信アンテナ部は、
上記ベルトの内周面側に配置された、上記上肢部の動脈および／またはこの動脈の脈波に伴って変位する組織によって反射された電波を受信する第１の受信アンテナと、
上記ベルトの外周面側に配置された、上記心臓および／またはこの心臓の拍動に伴って変位する組織によって反射された電波を受信する第２の受信アンテナと
を含むことを特徴とする生体情報測定装置。
【請求項６】
請求項５に記載の生体情報測定装置において、
上記第１の受信アンテナと上記第２の受信アンテナとの間に、電波を遮蔽する遮蔽層が設けられていることを特徴とする生体情報測定装置。
【請求項７】
請求項５または６に記載の生体情報測定装置において、
上記第３の送信アンテナは、上記上肢部の動脈と上記心臓との両方へ向けて互いに異なる第１の周波数成分と第２の周波数成分とを含む電波を発射し、
上記第１の受信アンテナを介して、上記上肢部の動脈および／またはこの動脈の脈波に伴って変位する組織によって反射された電波のうち上記第１の周波数成分に相当する成分を受信し、
上記第２の受信アンテナを介して、上記心臓および／またはこの心臓の拍動に伴って変位する組織によって反射された電波のうち上記第２の周波数成分に相当する成分を受信することを特徴とする生体情報測定装置。
【請求項８】
請求項１から７までのいずれか一つに記載の生体情報測定装置において、
上記ベルトの内周面側および外周面側が平坦になるように、上記送信アンテナ部および上記受信アンテナ部は上記ベルトに埋め込まれていることを特徴とする生体情報測定装置。
【請求項９】
請求項２から４までのいずれか一つに記載の生体情報測定装置において、
上記第１の送信アンテナから上記上肢部の動脈へ向けて発射される電波の偏波方向と、上記第２の送信アンテナから上記心臓へ向けて発射される電波の偏波方向とが、互いに異なっていることを特徴とする生体情報測定装置。
【請求項１０】
請求項１から９までのいずれか一つに記載の生体情報測定装置において、
上記ベルトの上記送受信部に相当する部分に、
上記送信アンテナ部に上記電波を発射させるように給電する送信回路と、
上記受信アンテナ部によって受信された信号を少なくとも増幅する受信回路と
が搭載されていることを特徴とする生体情報測定装置。
【請求項１１】
生体が示す血圧を測定する血圧測定装置であって、
請求項１から１０までのいずれか一つに記載の生体情報測定装置と、
上記生体情報検出部が取得した上記脈波信号と上記拍動信号との間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする血圧測定装置。
【請求項１２】
請求項１１に記載の血圧測定装置において、
上記生体情報検出部、上記時間差取得部、および、上記第１の血圧算出部は、上記ベルトに対して一体に設けられていることを特徴とする血圧測定装置。
【請求項１３】
請求項１１または１２に記載の血圧測定装置において、
上記ベルトに、上記上肢部を圧迫するための流体袋が取り付けられ、
上記流体袋に空気を供給して圧力を制御する圧力制御部と、
上記流体袋内の圧力に基づいて、オシロメトリック法により血圧を算出する第２の血圧算出部とを備え、
上記圧力制御部、および、上記第２の血圧算出部は、上記ベルトに対して一体に設けられ、または、上記ベルトに対して一体に設けられた本体に搭載されていることを特徴とする血圧測定装置。
【請求項１４】
請求項１から１０までのいずれか一つに記載の生体情報測定装置、または、請求項１１から１３までのいずれか一つに記載の血圧測定装置を備えたことを特徴とする機器。
【請求項１５】
請求項１に記載の生体情報測定装置を用いて生体が示す動脈の脈波と心臓の拍動を測定する生体情報測定方法であって、
上記上肢部を取り巻いて上記ベルトを装着し、
上記ベルトが上記上肢部を取り巻いて装着された装着状態で、上記生体が上記予め定められた姿勢をとることによって、上記上肢部を通る動脈と上記心臓との両方に上記送受信部を対向させ、
上記上肢部の動脈と上記心臓とへ向けてそれぞれ上記送信アンテナ部を介して電波を発射させるとともに、
上記上肢部の動脈および／またはこの動脈の脈波に伴って変位する組織と上記心臓および／またはこの心臓の拍動に伴って変位する組織とによってそれぞれ反射された電波を上記受信アンテナ部を介して受信し、
上記生体情報検出部によって、上記受信アンテナ部の出力に基づいて、上記上肢部の動脈の脈波を表す脈波信号と上記心臓の拍動を表す拍動信号とを取得することを特徴とする生体情報測定方法。
【請求項１６】
生体が示す血圧を測定する血圧測定方法であって、
請求項１５に記載の生体情報測定方法を実行して、上記上肢部の動脈の脈波を表す脈波信号と上記心臓の拍動を表す拍動信号とを取得し、
上記脈波信号と上記拍動信号との間の時間差を、脈波伝播時間として取得し、
脈波伝播時間と血圧との間の予め定められた対応式を用いて、上記取得された脈波伝播時間に基づいて血圧値を算出することを特徴とする血圧測定方法。
【発明の詳細な説明】
【技術分野】
【０００１】
この発明は生体情報測定装置に関し、より詳しくは、生体が示す動脈の脈波と心臓の拍動を測定する生体情報測定装置に関する。また、この発明は、そのような生体情報測定装置を備えた血圧測定装置、および機器に関する。また、この発明は、生体が示す動脈の脈波と心臓の拍動を測定する生体情報測定方法に関する。また、この発明は、そのような生体情報測定方法を含む血圧測定方法に関する。
【背景技術】
【０００２】
従来、この種の生体情報測定装置としては、例えば特許文献１（特開２０１２−１３９３４２号公報）に開示されているように、生体の心臓を挟む部位に装着或いは貼着される複数の電極を有し、それらの複数の電極に発生する信号に基づいて心電誘導波を出力するとともに、生体の上腕に巻回して装着されてその生体の動脈内を伝播する脈波を検出する脈波センサ（たとえばカフ）を備え、上記心電誘導波に含まれるＲ波の発生時点からその脈波センサにより脈波が検出された発生時点までの時間差に基づいて脈波伝播時間を検出するものがある。
【０００３】
また、特許文献２（特開２０１６−１５００６５号公報）に開示されているように、マットレスの下方に２つのマイクロ波センサを水平方向に互いに離間した状態に配置して、１つのマイクロ波センサからマットレス上に横たわっている被験者の体幹部に向けてマイクロ波を照射し、該体幹部からのセンサ信号を受信するとともに、もう１つのマイクロ波センサから被験者の末梢部に向けてマイクロ波を照射し、該末梢部からのセンサ信号を受信するようにしたものがある。
【先行技術文献】
【特許文献】
【０００４】
【特許文献１】特開２０１２−１３９３４２号公報
【特許文献２】特開２０１６−１５００６５号公報
【発明の概要】
【発明が解決しようとする課題】
【０００５】
しかしながら、特許文献１に記載の装置では、複数の電極を生体の心臓を挟む部位に装着或いは貼着しなければならないため、装着の手間がかかるし、また、装着状態を維持するのに生体（被験者）の身体的負担が大きい、という問題がある。
【０００６】
一方、特許文献２に記載の装置では、装着の手間がかからないけれども、被験者がマットレス上に横たわることを強いられるため、その意味で被験者の身体的負担が大きい、という問題がある。
【０００７】
そこで、この発明の課題は、生体が示す動脈の脈波と心臓の拍動を測定する生体情報測定装置であって、測定のための生体の身体的負担が少ないものを提供することにある。また、この発明の課題は、そのような生体情報測定装置を備えた血圧測定装置、および機器を提供することにある。また、この発明は、そのような生体情報測定装置を用いて、生体が示す動脈の脈波と心臓の拍動を測定する生体情報測定方法を提供することにある。また、この発明は、そのような生体情報測定方法を含む血圧測定方法を提供することにある。
【課題を解決するための手段】
【０００８】
上記課題を解決するため、この開示の生体情報測定装置は、
生体が示す動脈の脈波と心臓の拍動を測定する生体情報測定装置であって、
上記生体の上肢部を取り巻いて装着されるベルトと、
上記ベルトが上記上肢部を取り巻いて装着された装着状態で、上記生体が予め定められた推奨測定姿勢をとったとき上記ベルトのうち上記上肢部を通る動脈と心臓との両方に対向する部分に搭載された、電波の送信および受信が可能な送受信部とを備え、
上記送受信部は、
上記上肢部の動脈と上記心臓とへ向けてそれぞれ電波を発射する送信アンテナ部と、
上記上肢部の動脈および／またはこの動脈の脈波に伴って変位する組織と上記心臓および／またはこの心臓の拍動に伴って変位する組織とによってそれぞれ反射された電波を受信する受信アンテナ部と
を含み、
上記受信アンテナ部の出力に基づいて、上記上肢部の動脈の脈波を表す脈波信号と上記心臓の拍動を表す拍動信号とを取得する生体情報検出部を備えたことを特徴とする。
【０００９】
本明細書で、「上肢部」とは、上腕、前腕、手、および、指を含む。
【００１０】
また、上記ベルトのうち上記送受信部が搭載されている部分は、上記ベルトが上記上肢部を取り巻いて装着された装着状態で、上記生体が予め定められた「推奨測定姿勢」をとったとき上記上肢部を通る動脈と心臓との両方に対向する部分として、予め設定されている。ここで、「対向」するとは、上記送受信部と上記上肢部との間、上記送受信部と上記心臓との間でそれぞれ電波の送受信が可能に対向していれば良く、衣服などを介して間接的に対向してもよい。
【００１１】
また、「推奨測定姿勢」としては、上肢部の動脈と、心臓とが、重力加速度等の向きを基準として（ほぼ）同じ高さになる姿勢が推奨される。例えば上記上肢部が上腕である場合は、上腕を体幹の側方に沿わせた姿勢が採用され得る。それに代えて、上記上肢部が手首である場合は、生体が直立しているとき、「推奨測定姿勢」としては、前腕を体幹に対して前方で斜め（手が上、肘が下）に交差して挙げて、手首を心臓の高さレベルに維持し、かつ、手首の掌側面（手首の外周面のうち手の平側に相当する部分）を心臓へ向けた姿勢が採用され得る。上記上肢部が手首である場合において、生体が仰向けに寝転がっているときは、手首を前胸に当てる姿勢は推奨されない。
【００１２】
また、上肢部の「動脈の脈波に伴って変位する組織」とは、生体のうち、上記動脈の脈波（血管の拡張と収縮をもたらす）に伴って変位する部分を指す。例えば、「皮膚−脂肪層−動脈」といった構成において、上肢部の皮膚も含まれる。また、「心臓の拍動に伴って変位する組織」とは、生体のうち、上記心臓の拍動に伴って変位する部分を指す。
【００１３】
この開示の生体情報測定装置では、生体の上肢部を取り巻いてベルトが装着される。上記ベルトが上記上肢部を取り巻いて装着された装着状態で、上記生体が予め定められた推奨測定姿勢をとったとき、上記送受信部は、上記上肢部を通る動脈と上記心臓との両方に対向する。上記送受信部に含まれた送信アンテナ部は、上記上肢部の動脈と上記心臓とへ向けてそれぞれ電波を発射する。上記送受信部に含まれた受信アンテナ部は、上記上肢部の動脈および／またはこの動脈の脈波に伴って変位する組織と上記心臓および／またはこの心臓の拍動に伴って変位する組織とによってそれぞれ反射された電波を受信する。生体情報検出部は、上記受信アンテナ部の出力に基づいて、上記上肢部の動脈の脈波を表す脈波信号と上記心臓の拍動を表す拍動信号とを取得する。
【００１４】
このように、この生体情報測定装置では、生体が身体的には上肢部を取り巻いてベルトを装着し予め定められた推奨測定姿勢をとるだけで、その上肢部の動脈の脈波を表す脈波信号と心臓の拍動を表す拍動信号とが取得される。つまり、測定の際に、生体の心臓を挟む部分に電極を装着或いは貼着する必要が無い。また、生体がとる推奨測定姿勢として、上半身を起こした姿勢や寝た姿勢など様々な姿勢を含むことができ、自由度が大きい。したがって、この生体情報測定装置は、測定のための生体の身体的負担が少ない。
【００１５】
一実施形態の生体情報測定装置では、
上記ベルトが帯状に延在する面に沿って、上記送信アンテナ部と上記受信アンテナ部とがそれぞれ配置され、
上記送信アンテナ部は、
上記ベルトの内周面側に配置された、上記上肢部の動脈へ向けて電波を発射する第１の送信アンテナと、
上記ベルトの外周面側に配置された、上記心臓へ向けて電波を発射する第２の送信アンテナと
を含み、
上記受信アンテナ部は、
上記ベルトの内周面側に配置された、上記上肢部の動脈および／またはこの動脈の脈波に伴って変位する組織によって反射された電波を受信する第１の受信アンテナと、
上記ベルトの外周面側に配置された、上記心臓および／またはこの心臓の拍動に伴って変位する組織によって反射された電波を受信する第２の受信アンテナと
を含むことを特徴とする。
【００１６】
上記ベルトが帯状に延在する「面」とは、装着された状態で上記上肢部に対向する内周面、または、この内周面とは反対側の外周面を指す。
【００１７】
この一実施形態の生体情報測定装置では、上記ベルトの内周面側で、上記第１の送信アンテナが上記上肢部の動脈へ向けて電波を発射し、上記第１の受信アンテナが上記上肢部の動脈および／またはこの動脈の脈波に伴って変位する組織によって反射された電波を受信する。つまり、上記ベルトの内周面側で上記上肢部に対向して配置された上記第１の送信アンテナ、上記第１の受信アンテナによって、上記上肢部の動脈の脈波が検知される。また、上記ベルトの外周面側で、上記第２の送信アンテナが上記心臓へ向けて電波を発射し、上記第２の受信アンテナが上記心臓および／またはこの心臓の拍動に伴って変位する組織によって反射された電波を受信する。つまり、上記ベルトの外周面側で上記心臓に対向して配置された上記第２の送信アンテナ、上記第２の受信アンテナによって、上記心臓の拍動が検知される。これにより、上記脈波信号、上記拍動信号を精度良く取得できる。
【００１８】
また、「送信アンテナ」と「受信アンテナ」とは互いに別体として設けられてもよいが、これに限られるものではない。空間的に１つのアンテナ要素が公知のサーキュレータを介する等して送信アンテナおよび受信アンテナ（つまり、送受共用アンテナ）として用いられてもよい。
【００１９】
一実施形態の生体情報測定装置では、
上記ベルトの内周面側に配置された上記第１の送信アンテナおよび上記第１の受信アンテナと、上記ベルトの外周面側に配置された上記第２の送信アンテナおよび上記第２の受信アンテナとの間に、電波を遮蔽する遮蔽層が設けられていることを特徴とする。
【００２０】
この一実施形態の生体情報測定装置では、上記遮蔽層が、上記ベルトの内周面側に配置された上記第１の送信アンテナおよび上記第１の受信アンテナと、上記ベルトの外周面側に配置された上記第２の送信アンテナおよび上記第２の受信アンテナとの間で電波を遮蔽する。したがって、上記脈波信号と上記拍動信号との間の干渉が抑制される。これにより、上記脈波信号、上記拍動信号をさらに精度良く取得できる。
【００２１】
一実施形態の生体情報測定装置では、
上記上肢部の動脈へ向けて発射される電波の周波数と、上記心臓へ向けて発射される電波の周波数とが、互いに異なっていることを特徴とする。
【００２２】
この一実施形態の生体情報測定装置では、上記上肢部の動脈および／またはこの動脈の脈波に伴って変位する組織によって反射された電波と、上記心臓および／またはこの心臓の拍動に伴って変位する組織によって反射された電波とを、互いに周波数で選別して混信を避けることができる。この結果、上記脈波信号、上記拍動信号をさらに精度良く取得できる。
【００２３】
一実施形態の生体情報測定装置では、
上記ベルトが帯状に延在する面に沿って、上記送信アンテナ部と上記受信アンテナ部とがそれぞれ配置され、
上記送信アンテナ部は、上記ベルトの内周面側若しくは外周面側に沿って配置され、または、上記ベルトに埋め込まれた、上記上肢部の動脈と上記心臓との両方へ向けて電波を発射する共通の第３の送信アンテナを含み、
上記受信アンテナ部は、
上記ベルトの内周面側に配置された、上記上肢部の動脈および／またはこの動脈の脈波に伴って変位する組織によって反射された電波を受信する第１の受信アンテナと、
上記ベルトの外周面側に配置された、上記心臓および／またはこの心臓の拍動に伴って変位する組織によって反射された電波を受信する第２の受信アンテナと
を含むことを特徴とする。
【００２４】
ここで、第３の送信アンテナが「共通」であるとは、上記上肢部の動脈と上記心臓との両方へ向けて電波を同時に発射することが可能な１つのアンテナとして構成されていることを意味する。そのような１つのアンテナとしては、例えばダイポールアンテナが挙げられる。「両方」へ向けて電波を発射するとは、全方位へ向けて電波を発射する場合を含む。
【００２５】
この一実施形態の生体情報測定装置では、上記共通の第３の送信アンテナが上記上肢部の動脈と上記心臓との両方へ向けて電波を発射する。上記ベルトの内周面側で、上記第１の受信アンテナが上記上肢部の動脈によって反射された電波を受信する。一方、上記ベルトの外周面側で、第２の受信アンテナが上記心臓によって反射された電波を受信する。この生体情報測定装置では、上記第３の送信アンテナが「共通」であるから、例えば２つの送信アンテナが設けられている場合に比して、装置の構成が簡素化され得る。
【００２６】
一実施形態の生体情報測定装置では、
請求項５に記載の生体情報測定装置において、
上記第１の受信アンテナと上記第２の受信アンテナとの間に、電波を遮蔽する遮蔽層が設けられていることを特徴とする。
【００２７】
この一実施形態の生体情報測定装置では、上記遮蔽層が、上記第１の受信アンテナと上記第２の受信アンテナとの間で電波を遮蔽する。したがって、上記脈波信号と上記拍動信号との間の干渉が抑制される。これにより、上記脈波信号、上記拍動信号を精度良く取得できる。
【００２８】
一実施形態の生体情報測定装置では、
上記第３の送信アンテナは、上記上肢部の動脈と上記心臓との両方へ向けて互いに異なる第１の周波数成分と第２の周波数成分とを含む電波を発射し、
上記第１の受信アンテナを介して、上記上肢部の動脈および／またはこの動脈の脈波に伴って変位する組織によって反射された電波のうち上記第１の周波数成分に相当する成分を受信し、
上記第２の受信アンテナを介して、上記心臓および／またはこの心臓の拍動に伴って変位する組織によって反射された電波のうち上記第２の周波数成分に相当する成分を受信することを特徴とする。
【００２９】
この一実施形態の生体情報測定装置では、上記上肢部の動脈および／またはこの動脈の脈波に伴って変位する組織によって反射された電波のうち上記第１の周波数成分に相当する成分と、上記心臓および／またはこの心臓の拍動に伴って変位する組織によって反射された電波のうち上記第２の周波数成分に相当する成分とを、互いに周波数で選別して混信を避けることができる。この結果、上記脈波信号、上記拍動信号をさらに精度良く取得できる。
【００３０】
一実施形態の生体情報測定装置では、
上記ベルトの内周面側および外周面側が平坦になるように、上記送信アンテナ部および上記受信アンテナ部は上記ベルトに埋め込まれていることを特徴とする。
【００３１】
この一実施形態の生体情報測定装置では、上記ベルトの内周面側が平坦になっているので、ベルトを装着した生体に不快感（上記ベルトの内周面側が凸凹になっていることによる不快感）を与えることがない。また、上記ベルトの外周面側が平坦になっているので、仮に生体の活動に伴って上記ベルトの外周面が机や壁などに接触したとしても、この生体情報測定装置は、破損し難くなる。また、見栄えを良くすることができる。
【００３２】
一実施形態の生体情報測定装置では、
上記第１の送信アンテナから上記上肢部の動脈へ向けて発射される電波の偏波方向と、上記第２の送信アンテナから上記心臓へ向けて発射される電波の偏波方向とが、互いに異なっていることを特徴とする。
【００３３】
この一実施形態の生体情報測定装置では、上記上肢部の動脈および／またはこの動脈の脈波に伴って変位する組織によって反射された電波と、上記心臓および／またはこの心臓の拍動に伴って変位する組織によって反射された電波とを、互いに偏波方向で選別して混信を避けることができる。この結果、この結果、上記脈波信号、上記拍動信号をさらに精度良く取得できる。
【００３４】
なお、上記第１の送信アンテナと上記第２の送信アンテナとの間で、電波の偏波方向を互いに異ならせるためには、例えば、上記第１の送信アンテナと上記第２の送信アンテナとをそれぞれ矩形のパターン形状をもつパッチアンテナで構成し、それらのパッチアンテナにおける給電点の部位を互いに異ならせるなどの様々な手段がある。
【００３５】
一実施形態の生体情報測定装置では、
上記ベルトの上記送受信部に相当する部分に、
上記送信アンテナ部に上記電波を発射させるように給電する送信回路と、
上記受信アンテナ部によって受信された信号を少なくとも増幅する受信回路と
が搭載されていることを特徴とする。
【００３６】
この一実施形態の生体情報測定装置では、上記送信回路から上記送信アンテナ部までの給電経路を比較的短くでき、上記電波の波形の劣化を抑制できる。また、上記受信アンテナ部から上記受信回路までの受信経路を比較的短くできる。これらの結果、上記脈波信号、上記拍動信号をさらに精度良く取得できる。
【００３７】
別の局面では、この開示の血圧測定装置は、
生体が示す血圧を測定する血圧測定装置であって、
上記生体情報測定装置と、
上記生体情報検出部が取得した上記脈波信号と上記拍動信号との間の時間差を、脈波伝播時間として取得する時間差取得部と、
脈波伝播時間と血圧との間の予め定められた対応式を用いて、上記時間差取得部によって取得された脈波伝播時間に基づいて血圧値を算出する第１の血圧算出部と
を備えたことを特徴とする。
【００３８】
この開示の血圧測定装置では、時間差取得部は、上記生体情報検出部が取得した上記脈波信号と上記拍動信号との間の時間差を、脈波伝播時間（Pulse Transit Time；ＰＴＴ）として取得する。第１の血圧算出部は、脈波伝播時間と血圧との間の予め定められた対応式を用いて、上記時間差取得部によって取得された脈波伝播時間に基づいて血圧値を算出する。このように、この血圧測定装置によれば、血圧値が取得され得る。
【００３９】
一実施形態の血圧測定装置では、
上記生体情報検出部、上記時間差取得部、および、上記第１の血圧算出部は、上記ベルトに対して一体に設けられていることを特徴とする。
【００４０】
この一実施形態の血圧測定装置では、上記生体情報検出部、上記時間差取得部、および、上記第１の血圧算出部が上記ベルトの外部に離間して設けられている場合とは異なり、上記受信アンテナ部の出力から上記脈波信号、上記拍動信号、上記脈波伝播時間、および、上記血圧値を得るために、上記ベルトの外部へ配線を延在させる必要が無い。したがって、この血圧測定装置によれば、測定の際に、生体は配線ケーブルに煩わされることが無く、身体的負担が少ない。
【００４１】
一実施形態の血圧測定装置は、
上記ベルトに、上記上肢部を圧迫するための流体袋が取り付けられ、
上記流体袋に空気を供給して圧力を制御する圧力制御部と、
上記流体袋内の圧力に基づいて、オシロメトリック法により血圧を算出する第２の血圧算出部とを備え、
上記圧力制御部、および、上記第２の血圧算出部は、上記ベルトに対して一体に設けられ、または、上記ベルトに対して一体に設けられた本体に搭載されていることを特徴とする。
【００４２】
この一実施形態の血圧測定装置では、脈波伝播時間に基づく血圧測定（推定）と、オシロメトリック法による血圧測定とが、共通のベルトを用いて行われ得る。したがって、生体としての被験者の利便性が高まる。また、精度は低いけれども連続して測定できるＰＴＴ方式（脈波伝播時間に基づく血圧測定）で血圧の急激な上昇を捉え、その血圧の急激な上昇をトリガにして、より正確なオシロメトリック法での測定を開始することができる。
【００４３】
別の局面では、この開示の機器は、
上記生体情報測定装置、または、上記血圧測定装置を備えたことを特徴とする。
【００４４】
この開示の機器は、上記生体情報測定装置、または、上記血圧測定装置を含み、他の機能を実行する機能部を含んでいてもよい。この機器によれば、生体の上肢部の動脈の脈波を表す脈波信号と心臓の拍動を表す拍動信号とを取得でき、または、血圧値を算出（推定）できる。その他、この機器は様々な機能を実行することができる。
【００４５】
別の局面では、この開示の生体情報測定方法は、
上記生体情報測定装置を用いて生体が示す動脈の脈波と心臓の拍動を測定する生体情報測定方法であって、
上記上肢部を取り巻いて上記ベルトを装着し、
上記ベルトが上記上肢部を取り巻いて装着された装着状態で、上記生体が上記予め定められた姿勢をとることによって、上記上肢部を通る動脈と上記心臓との両方に上記送受信部を対向させ、
上記上肢部の動脈と上記心臓とへ向けてそれぞれ上記送信アンテナ部を介して電波を発射させるとともに、
上記上肢部の動脈および／またはこの動脈の脈波に伴って変位する組織と上記心臓および／またはこの心臓の拍動に伴って変位する組織とによってそれぞれ反射された電波を上記受信アンテナ部を介して受信し、
上記生体情報検出部によって、上記受信アンテナ部の出力に基づいて、上記上肢部の動脈の脈波を表す脈波信号と上記心臓の拍動を表す拍動信号とを取得することを特徴とする。
【００４６】
この生体情報測定方法では、生体が身体的には上肢部を取り巻いてベルトを装着し予め定められた推奨測定姿勢をとるだけで、上記上肢部の動脈の脈波を表す脈波信号と上記心臓の拍動を表す拍動信号とが取得される。つまり、測定の際に、生体の心臓を挟む部分に電極を装着或いは貼着する必要が無い。また、生体がとる推奨測定姿勢として、上半身を起こした姿勢や寝た姿勢など様々な姿勢を含むことができ、自由度が大きい。したがって、測定のための生体の身体的負担が少ない。
【００４７】
別の局面では、この開示の血圧測定方法は、
生体が示す血圧を測定する血圧測定方法であって、
上記生体情報測定方法を実行して、上記上肢部の動脈の脈波を表す脈波信号と上記心臓の拍動を表す拍動信号とを取得し、
上記脈波信号と上記拍動信号との間の時間差を、脈波伝播時間として取得し、
脈波伝播時間と血圧との間の予め定められた対応式を用いて、上記取得された脈波伝播時間に基づいて血圧値を算出することを特徴とする。
【００４８】
この開示の血圧測定方法では、生体が身体的には上肢部を取り巻いてベルトを装着し予め定められた推奨測定姿勢をとるだけで、血圧値が取得される。したがって、測定のための生体の身体的負担が少ない。
【発明の効果】
【００４９】
以上より明らかなように、この開示の生体情報測定装置は、測定のための生体の身体的負担が少ない。また、この開示の血圧測定装置、生体情報測定方法および血圧測定方法によれば、測定のための生体の身体的負担が少ない。また、この開示の機器によれば、脈波信号と拍動信号の取得、または、血圧値の算出の他、様々な機能を実行することができる。
【図面の簡単な説明】
【００５０】
【図１】この発明の一実施形態の生体情報測定装置が生体に装着されて生体情報を取得する適用例を示す図である。
【図２】この発明の生体情報測定装置および血圧測定装置に係る一実施形態の手首式血圧計の外観を示す斜視図である。
【図３】上記血圧計が左手首に装着された状態での左手首の長手方向に対して垂直な断面を模式的に示す図である。
【図４】上記血圧計が左手首に装着された状態での、一例の送受信アンテナ群の平面レイアウトを示す図である。
【図５】上記血圧計を左手首に装着した被験者が予め定められた推奨測定姿勢をとった状態を示す図である。
【図６】図６（Ａ）は、上記一例の送受信アンテナ群の断面構造を、それらの指向性とともに示す図である。図６（Ｂ）は、図６（Ａ）の断面構造の変形例を示す図である。
【図７】図７（Ａ）は、図６（Ａ）に相当する送受信アンテナ群の断面構造を示す図である。図７（Ｂ）は、図７（Ａ）のものを左側方（＋Ｚ方向）から見たときの上記送受信アンテナ群に含まれた送信アンテナおよび受信アンテナの給電点と偏波方向の例を示す図である。図７（Ｃ）は、図７（Ａ）のものを右側方（−Ｚ方向）から見たときの上記送信アンテナおよび受信アンテナの給電点と偏波方向の例を示す図である。
【図８】上記血圧計の制御系の全体的なブロック構成を示す図である。
【図９】上記血圧計の制御系の部分的かつ機能的なブロック構成を示す図である。
【図１０】上記血圧計において、オシロメトリック法を行うためのプラグラムによって実装されるブロック構成を示す図である。
【図１１】上記血圧計がオシロメトリック法による血圧測定を行う際の動作フローを示す図である。
【図１２】図１１の動作フローによるカフ圧と脈波信号の変化を示す図である。
【図１３】左手首から得られた脈波信号および心臓から得られた拍動信号の各波形と、それらの脈波信号、拍動信号によって得られる脈波伝播時間（Pulse Transit Time；ＰＴＴ）を示す図である。
【図１４】この発明の一実施形態の生体情報測定方法および血圧測定方法に係る動作フローであって、上記血圧計が脈波伝播時間（Pulse Transit Time；ＰＴＴ）を取得し、その脈波伝播時間に基づく血圧測定（推定）を行うものを示す図である。
【図１５】図９に示した制御系のブロック構成において、左手首の動脈へ向けて発射される電波Ｅ１の周波数ｆ１と、心臓へ向けて発射される電波Ｅ２の周波数ｆ２とが、互いに異なっている例を示す図である。
【図１６】図１６（Ａ）は、上記送受信アンテナ群に含まれた送信アンテナおよび受信アンテナの別の配置の例を、図３に対応した断面（ＺＸ平面）で示す図である。図１６（Ｂ）は、図１６（Ａ）のものを、左手首の長手方向に沿った断面（ＹＺ平面）で示す図である。
【図１７】図１７（Ａ）は、上記送受信アンテナ群に含まれた送信アンテナおよび受信アンテナのさらに別の配置の例を、図３に対応した断面（ＺＸ平面）で示す図である。図１７（Ｂ）は、図１７（Ａ）のものを、左手首の長手方向に沿った断面（ＹＺ平面）で示す図である。
【図１８】図１８（Ａ）は、上記送受信アンテナ群に含まれた送信アンテナおよび受信アンテナのさらに別の配置の例を、図３に対応した断面（ＺＸ平面）で示す図である。図１８（Ｂ）は、図１８（Ａ）のものを、左手首の長手方向に沿った断面（ＹＺ平面）で示す図である。
【図１９】図１９（Ａ）は、図７（Ａ）に示した断面構造と同じ断面構造をもつ送信アンテナおよび受信アンテナの別の例を示す図である。図１９（Ｂ）、図１９（Ｃ）は、図１９（Ａ）のものをそれぞれ左側方（＋Ｚ方向）、右側方（−Ｚ方向）から見たときの上記送信アンテナおよび受信アンテナの給電点と偏波方向の例を示す図である。
【図２０】図２０（Ａ）は、図１８（Ａ），図１８（Ｂ）に示した送信アンテナおよび受信アンテナの断面構造を示す図である。図２０（Ｂ）、図２０（Ｃ）は、図２０（Ａ）のものをそれぞれ左側方（＋Ｚ方向）、右側方（−Ｚ方向）から見たときの上記送信アンテナおよび受信アンテナの給電点と偏波方向の例を示す図である。
【図２１】図２１（Ａ）は、図２０（Ａ）に示した断面構造と同じ断面構造をもつ送信アンテナおよび受信アンテナの別の例を示す図である。図２１（Ｂ）、図２１（Ｃ）は、図２１（Ａ）のものをそれぞれ左側方（＋Ｚ方向）、右側方（−Ｚ方向）から見たときの上記送信アンテナおよび受信アンテナの給電点と偏波方向の例を示す図である。
【図２２】図２２（Ａ）は、図７（Ａ）に示した断面構造と同じ断面構造をもつ送信アンテナおよび受信アンテナの別の例を示す図である。図２２（Ｂ）、図２２（Ｃ）は、図２２（Ａ）のものをそれぞれ左側方（＋Ｚ方向）、右側方（−Ｚ方向）から見たときの上記送信アンテナおよび受信アンテナの給電点と偏波方向の例を示す図である。
【図２３】図２３（Ａ）は、図２０（Ａ）に示した断面構造と同じ断面構造をもつ送信アンテナおよび受信アンテナの別の例を示す図である。図２３（Ｂ）、図２３（Ｃ）は、図２３（Ａ）のものをそれぞれ左側方（＋Ｚ方向）、右側方（−Ｚ方向）から見たときの上記送信アンテナおよび受信アンテナの給電点と偏波方向の例を示す図である。
【図２４】図２４（Ａ）は、図７（Ａ）に示した断面構造と同じ断面構造をもつ送信アンテナおよび受信アンテナの別の例を示す図である。図２４（Ｂ）、図２４（Ｃ）は、図２４（Ａ）のものをそれぞれ左側方（＋Ｚ方向）、右側方（−Ｚ方向）から見たときの上記送信アンテナおよび受信アンテナの給電点と偏波方向の例を示す図である。
【図２５】図２５（Ａ）は、図７（Ａ）に示した断面構造と同じ断面構造をもつ送信アンテナおよび受信アンテナの別の例を示す図である。図２５（Ｂ）、図２５（Ｃ）は、図２５（Ａ）のものをそれぞれ左側方（＋Ｚ方向）、右側方（−Ｚ方向）から見たときの上記送信アンテナおよび受信アンテナの給電点と偏波方向の例を示す図である。
【図２６】図２６（Ａ）は、図２０（Ａ）に示した断面構造と同じ断面構造をもつ送信アンテナおよび受信アンテナの別の例を示す図である。図２６（Ｂ）、図２６（Ｃ）は、図２６（Ａ）のものをそれぞれ左側方（＋Ｚ方向）、右側方（−Ｚ方向）から見たときの上記送信アンテナおよび受信アンテナの給電点と偏波方向の例を示す図である。
【図２７】図２７（Ａ）は、図２０（Ａ）に示した断面構造と同じ断面構造をもつ送信アンテナおよび受信アンテナの別の例を示す図である。図２７（Ｂ）、図２７（Ｃ）は、図２７（Ａ）のものをそれぞれ左側方（＋Ｚ方向）、右側方（−Ｚ方向）から見たときの上記送信アンテナおよび受信アンテナの給電点と偏波方向の例を示す図である。
【図２８】図２８（Ａ）は、図７（Ａ）に示した断面構造と同じ断面構造をもつ送信アンテナおよび受信アンテナの別の例を示す図である。図２８（Ｂ）、図２８（Ｃ）は、図２８（Ａ）のものをそれぞれ左側方（＋Ｚ方向）、右側方（−Ｚ方向）から見たときの上記送信アンテナおよび受信アンテナの給電点と偏波方向の例を示す図である。
【図２９】図２９（Ａ）は、図２０（Ａ）に示した断面構造と同じ断面構造をもつ送信アンテナおよび受信アンテナの別の例を示す図である。図２９（Ｂ）、図２９（Ｃ）は、図２９（Ａ）のものをそれぞれ左側方（＋Ｚ方向）、右側方（−Ｚ方向）から見たときの上記送信アンテナおよび受信アンテナの給電点と偏波方向の例を示す図である。
【図３０】図３０（Ａ）は、上記血圧計が左手首に装着された状態での、別の例の送受信アンテナ群の平面レイアウトを示す図である。図３０（Ｂ）は、図３０（Ａ）における左手首の長手方向（Ｙ方向）に沿った断面を模式的に示す図である。
【図３１】図３１（Ａ）は、図３０（Ａ），図３０（Ｂ）中に示した送受信アンテナ群の断面構造を示す図である。図３１（Ｂ）は、図３１（Ａ）の断面構造の変形例を示す図である。
【図３２】ダイポールアンテナの指向性を示す図である。
【図３３】ダイポールアンテナによる偏波方向を示す図である。
【図３４】図３４（Ａ）は、図３０（Ａ）中に示した送信アンテナおよび受信アンテナの指向性と偏波方向を、図３０（Ａ）に対応した平面（ＸＹ平面）内で示す図である。図３４（Ｂ）は、それらの送信アンテナおよび受信アンテナの指向性を、図３０（Ｂ）に対応した平面（ＹＺ平面）内で示す図である。
【図３５】上記血圧計が図３０（Ａ），図３０（Ｂ）中に示した送信アンテナおよび受信アンテナを備えた場合の、制御系の部分的かつ機能的なブロック構成を示す図である。
【図３６】図３５に示した制御系のブロック構成において、左手首の動脈によって反射され第１の受信アンテナを介して受信される電波Ｅ１′の周波数成分（周波数ｆ１）と、心臓によって反射され第２の受信アンテナを介して受信される電波Ｅ２′の周波数成分（周波数ｆ２）とが、互いに異なっている例を示す図である。
【図３７】図３７（Ａ）は、図３０（Ａ）中の送受信アンテナ群に含まれた送信アンテナおよび受信アンテナの別の配置の例を、図３０（Ａ）に対応して示す図である。図３０（Ｂ）は、図３７（Ａ）のものを、左手首の長手方向に沿った断面（ＹＺ平面）で示す図である。
【図３８】図３８（Ａ）は、図３０（Ａ）中の送受信アンテナ群に含まれた送信アンテナおよび受信アンテナのさらに別の配置の例を、図３０（Ａ）に対応して示す図である。図３８（Ｂ）は、図３８（Ａ）のものを、左手首の長手方向に沿った断面（ＹＺ平面）で示す図である。
【図３９】図３９（Ａ）は、図３０（Ａ）中の送受信アンテナ群に含まれた送信アンテナおよび受信アンテナのさらに別の配置の例を、図３０（Ａ）に対応して示す図である。図３９（Ｂ）は、図３９（Ａ）のものを、左手首の長手方向に沿った断面（ＹＺ平面）で示す図である。
【発明を実施するための形態】
【００５１】
以下、この発明の実施の形態を、図面を参照しながら詳細に説明する。
【００５２】
（適用例）
図１は、この発明の一実施形態の生体情報測定装置（符号ＭＤで示す。）が生体８０に装着されて生体情報を取得する適用例を示している。ここで、生体８０は、心臓８１を含む体幹８２と、心臓８１から延在する動脈９１が通っている上肢部９０とを有するものとする。なお、図１において体幹８２と上肢部９０はそれぞれ丸角四角形で、また、心臓８１はハート形で模式化して表されている。上肢部９０は、上腕、前腕、手、または指等、肩から指先までのいずれの部位であってもよい。
【００５３】
生体情報測定装置ＭＤは、生体８０が示す動脈９１の脈波と心臓８１の拍動を測定する装置であり、生体８０の上肢部９０を取り巻いて装着されるベルト２０と、このベルト２０に搭載された、電波の送信および受信が可能な送受信部４０とを備えている。送受信部４０は、ベルト２０が上肢部９０を取り巻いて装着された装着状態で、生体８０が予め定められた推奨測定姿勢をとったときベルト２０のうち上肢部９０を通る動脈９１と心臓８１との両方に対向する部分に搭載されている。ここで、「予め定められた推奨測定姿勢」としては、例えば上肢部９０が上腕である場合は、上腕を体幹８２の側方に沿わせた姿勢が採用され得る。また、「対向」するとは、送受信部４０と上肢部９０との間、送受信部４０と心臓８１との間でそれぞれ電波の送受信が可能に対向していれば良く、衣服などを介して間接的に対向してもよい。
【００５４】
送受信部４０は、上肢部９０の動脈９１と心臓８１とへ向けてそれぞれ電波Ｅ１，Ｅ２を発射する送信アンテナ部としての送信アンテナ４１，４３と、上肢部９０の動脈９１および／またはこの動脈９１の脈波に伴って変位する組織９１ａと心臓８１および／またはこの心臓８１の拍動に伴って変位する組織８１ａとによってそれぞれ反射された電波Ｅ１′，Ｅ２′を受信する受信アンテナ部としての受信アンテナ４２，４４とを含んでいる。ここで、上肢部９０の「動脈９１の脈波に伴って変位する組織９１ａ」とは、生体８０のうち、動脈９１の脈波（血管の拡張と収縮をもたらす）に伴って変位する部分を指す。例えば、「皮膚−脂肪層−動脈」といった構成において、上肢部９０の皮膚も含まれる。また、「心臓８１の拍動に伴って変位する組織８１ａ」とは、生体８０のうち、心臓８１の拍動に伴って変位する部分を指す。
【００５５】
また、生体情報測定装置ＭＤは、受信アンテナ４２，４４の出力に基づいて、上肢部９０の動脈９１の脈波を表す脈波信号ＰＳ１と心臓８１の拍動を表す拍動信号ＰＳ２とを取得する生体情報検出部１１０を備えている。生体情報検出部１１０は、例えばＣＰＵ（Central Processing Unit）を含む信号処理系によって構成され得る。脈波信号ＰＳ１と拍動信号ＰＳ２は、例えば図１３中に示すような山状の波形もつ信号である（図１３の横軸は時間ｔを示し、縦軸は信号電圧ｖを示している。）。
【００５６】
この生体情報測定装置ＭＤでは、図１中に示すように生体８０の上肢部９０を取り巻いてベルト２０が装着された装着状態で、生体８０が上記予め定められた推奨測定姿勢をとったとき、送受信部４０は、上肢部９０を通る動脈９１と心臓８１との両方に対向する。送受信部４０に含まれた送信アンテナ４１，４３は、上肢部９０の動脈９１と心臓８１とへ向けてそれぞれ電波Ｅ１，Ｅ２を発射する。送受信部４０に含まれた受信アンテナ４２，４４は、上肢部９０の動脈９１および／またはこの動脈９１の脈波に伴って変位する組織９１ａと心臓８１および／またはこの心臓８１の拍動に伴って変位する組織８１ａとによってそれぞれ反射された電波Ｅ１′，Ｅ２′を受信する。生体情報検出部１１０は、受信アンテナ４２，４４の出力に基づいて、上肢部９０の動脈９１の脈波を表す脈波信号ＰＳ１と心臓８１の拍動を表す拍動信号ＰＳ２とを取得する。
【００５７】
このように、この生体情報測定装置ＭＤでは、生体８０が身体的には上肢部９０を取り巻いてベルト２０を装着し予め定められた推奨測定姿勢をとるだけで、その上肢部９０の動脈９１の脈波を表す脈波信号ＰＳ１と心臓８１の拍動を表す拍動信号ＰＳ２とが取得される。つまり、測定の際に、生体８０の心臓８１を挟む部分に電極を装着或いは貼着する必要が無い。また、生体８０がとる推奨測定姿勢として、上半身を起こした姿勢や寝た姿勢など様々な姿勢を含むことができ、自由度が大きい。したがって、この生体情報測定装置ＭＤは、測定のための生体８０の身体的負担が少ない。
【００５８】
（構成例）
図２は、この発明の一例の生体情報測定装置および血圧測定装置に係る一実施形態の手首式血圧計（全体を符号１で示す。）の外観を斜めから見たところを示している。また、図３は、血圧計１が生体としての被験者８０（図５参照。簡単のため、図１中の生体８０と同じ符号で表す。）の上肢部としての左手首９０（簡単のため、図１中の上肢部９０と同じ符号で表す。）に装着された状態（以下「装着状態」と呼ぶ。）で、左手首９０の長手方向に対して垂直な断面を模式的に示している。以下では、図中の同じ要素には同じ符号を付して、重複する説明を省略する。
【００５９】
これらの図２，図３に示すように、この血圧計１は、大別して、ユーザである被験者８０の左手首９０を取り巻いて装着されるベルト２０と、このベルト２０に一体に取り付けられた本体１０とを備えている。
【００６０】
図２によって分かるように、ベルト２０は、左手首９０を周方向に沿って取り巻くように細長い帯状の形状を有し、左手首９０に接する内周面２０ａと、この内周面２０ａと反対側の外周面２０ｂとを有している。ベルト２０の幅方向Ｙの寸法（幅寸法）は、この例では約３０ｍｍに設定されている。
【００６１】
本体１０は、ベルト２０のうち、周方向に関して一方の端部２０ｅに、この例では一体成形により一体に設けられている。なお、ベルト２０と本体１０とを別々に形成し、ベルト２０に対して本体１０を係合部材（例えばヒンジなど）を介して一体に取り付けても良い。この例では、本体１０が配置された部位は、装着状態で左手首９０の背側面（手の甲側の面）９０ｂに対応することが予定されている（図３参照）。図３中には、左手首９０内で、外面としての掌側面（手の平側の面）９０ａ近傍を通る動脈（この例では、橈骨動脈）９１が示されている。なお、動脈としては、尺骨動脈を含んでもよい。
【００６２】
図２によって分かるように、本体１０は、ベルト２０の外周面２０ｂに対して垂直な方向に厚さを有する立体的形状を有している。この本体１０は、被験者８０の日常活動の邪魔にならないように、小型で、薄厚に形成されている。この例では、本体１０は、ベルト２０から外向きに突起した四角錐台状の輪郭を有している。
【００６３】
本体１０の頂面（左手首９０から最も遠い側の面）１０ａには、表示画面をなす表示器５０が設けられている。また、本体１０の側面（図２における左手前側の側面）１０ｆに沿って、被験者８０からの指示を入力するための操作部５２が設けられている。
【００６４】
ベルト２０のうち、周方向に関して一方の端部２０ｅと他方の端部２０ｆとの間の部位に、送受信部４０が一体に設けられている。この例では、送受信部４０には、４個の送受信アンテナ４１〜４４（これらの全体を「送受信アンテナ群」と呼び、符号４０Ｅで表す。）が搭載されている。第１の送信アンテナ４１と第１の受信アンテナ４２は、ベルト２０の内周面２０ａ側に、ベルト２０の長手方向Ｘに関して互いに離間した状態で配置されている。第２の送信アンテナ４３と第２の受信アンテナ４４は、ベルト２０の外周面２０ｂ側で上述の送信アンテナ４１、受信アンテナ４２とそれぞれ対応する位置に、ベルト２０の長手方向Ｘに関して互いに離間した状態で配置されている（送受信アンテナ群４０Ｅについては後に詳述する。）。この例では、ベルト２０の長手方向Ｘに関して送受信アンテナ群４０Ｅが配置された部位は、装着状態で左手首９０の橈骨動脈９１に対応することが予定されている（図３参照）。なお、図２では、理解の容易のため、ベルト２０の内周面２０ａに沿って設けられた押圧カフ２１（後述）の図示が省略されている。
【００６５】
図２中に示すように、本体１０の底面（左手首９０に最も近い側の面）１０ｂとベルト２０の端部２０ｆとは、三つ折れバックル２４によって接続されている。このバックル２４は、外周側に配置された第１の板状部材２５と、内周側に配置された第２の板状部材２６とを含んでいる。第１の板状部材２５の一方の端部２５ｅは、幅方向Ｙに沿って延びる連結棒２７を介して本体１０に対して回動自在に取り付けられている。第１の板状部材２５の他方の端部２５ｆは、幅方向Ｙに沿って延びる連結棒２８を介して第２の板状部材２６の一方の端部２６ｅに対して回動自在に取り付けられている。第２の板状部材２６の他方の端部２６ｆは、固定部２９によってベルト２０の端部２０ｆ近傍に固定されている。なお、ベルト２０の長手方向Ｘ（装着状態では、左手首９０の周方向に相当する。）に関して固定部２９の取り付け位置は、被験者８０の左手首９０の周囲長に合わせて予め可変して設定されている。これにより、この血圧計１（ベルト２０）は、全体として略環状に構成されるとともに、本体１０の底面１０ｂとベルト２０の端部２０ｆとが、バックル２４によって矢印Ｂ方向に開閉可能になっている。
【００６６】
この血圧計１を左手首９０に装着する際には、バックル２４を開いてベルト２０の環の径を大きくした状態で、図２中に矢印Ａで示す向きに、被験者８０がベルト２０に左手を通す。そして、図３に示すように、被験者８０は、左手首９０の周りのベルト２０の角度位置を調節して、左手首９０を通っている橈骨動脈９１上にベルト２０の送受信部４０を位置させる。これにより、送受信部４０（の送受信アンテナ群４０Ｅ）が左手首９０の掌側面９０ａのうち橈骨動脈９１に対向する状態になる。この状態で、被験者８０が、バックル２４を閉じて固定する。このようにして、被験者８０は血圧計１（ベルト２０）を左手首９０に容易に装着することができる。
【００６７】
図３中に示すように、この例では、ベルト２０は、外周面２０ｂをなす帯状体２０Ｃと、この帯状体２０Ｃの内周面２０ａに沿って取り付けられた押圧カフ２１とを含んでいる。帯状体２０Ｃは、プラスチック材料（この例では、厚さ５ｍｍのシリコーン樹脂）からなり、この例では、厚さ方向Ｚに関して可撓性を有し、かつ、長手方向Ｘ（左手首９０の周方向に相当）に関して殆ど伸縮しないように（実質的に非伸縮性に）なっている。押圧カフ２１は、この例では、伸縮可能な２枚のポリウレタンシートを厚さ方向Ｚに対向させ、それらの周縁部を溶着して、流体袋として構成されている。この例では、押圧カフ２１は、帯状体２０Ｃの内周面２０ａに沿って第１の送信アンテナ４１と第１の受信アンテナ４２を覆うように取り付けられている。以下では、特に区別しない限り、帯状体２０Ｃをベルト２０と呼ぶ。
【００６８】
この例では、図３中に示すように、装着状態では、送受信アンテナ群４０Ｅは、左手首９０の周方向に関して橈骨動脈９１に対応する。特に、第１の送信アンテナ４１と第１の受信アンテナ４２との対（以下では、第１の送受信アンテナ対（４１，４２）と呼ぶ。）は、押圧カフ２１を介して、橈骨動脈９１と対向する。また、この例では、図５に示すように、血圧測定の際（特に、後述の脈波伝播時間に基づく血圧測定の際）には、被験者８０は、予め定められた推奨測定姿勢（符号ＰＯで表す。）として、前腕９２を体幹８２に対して前方で斜め（手が上、肘が下）に交差して挙げて、左手首９０を心臓８１の高さレベルに維持し、かつ、左手首９０の掌側面９０ａを心臓８１へ（したがって、左手首９０の背側面９０ｂを前方へ）向けた姿勢をとるものとする。すると、図３中に示すように、第２の送信アンテナ４３と第２の受信アンテナ４４の対（以下では、第２の送受信アンテナ対（４３，４４）と呼ぶ。）は、心臓８１と対向する。
【００６９】
この例では、図４（装着状態での平面レイアウト）に示すように、１つの送信アンテナまたは受信アンテナは、２４ＧＨｚ帯の周波数の電波を発射または受信し得るように、面方向（図４におけるＸＹ平面に沿った方向を意味する。）に関して、縦横いずれも３ｍｍの正方形の形状（この面方向の形状を「パターン形状」と呼ぶ。）を有している。この例では、ベルト２０の長手方向Ｘに関して、第１の送信アンテナ４１の中心と第１の受信アンテナ４２の中心との間の距離は、５ｍｍ〜１０ｍｍの範囲内（この例では、８．５ｍｍ）に設定されている。これに対応して、この例では、ベルト２０の長手方向Ｘに関して、第２の送信アンテナ４３の中心と第２の受信アンテナ４４の中心との間の距離も、５ｍｍ〜１０ｍｍの範囲内（この例では、８．５ｍｍ）に設定されている。なお、各送受信アンテナのパターン形状と送受信アンテナの中心間距離は一例であって、血圧計の大きさ等に合わせて、適宜選択すればよい。
【００７０】
図６（Ａ）は送受信アンテナ群４０Ｅの断面構造を示している。この例では、第１の送受信アンテナ対（４１，４２）、第２の送受信アンテナ対（４３，４４）は、それぞれ基板４１０，４２０を介してベルト２０の内周面２０ａ、外周面２０ｂに取り付けられている。この例では、基板４１０は、それぞれ厚さ０．５ｍｍのＦＲ４（Flame Retardant Type ４）層４１１，４１３の間に、厚さ３０μｍの遮蔽層としての銅層４１２を挟んで構成されている。基板４１０の片面（−Ｚ側の面）には、厚さ３０μｍの銅層からなる送信アンテナ４１、受信アンテナ４２がそれぞれパターン形成されている。基板４１０の反対面（＋Ｚ側の面）は、接着剤層４１４によって、ベルト２０の内周面２０ａに貼り付けられている。同様に、基板４２０は、それぞれ厚さ０．５ｍｍのＦＲ４（Flame Retardant Type ４）層４２１，４２３の間に、厚さ３０μｍの遮蔽層としての銅層４２２を挟んで構成されている。基板４２０の片面（＋Ｚ側の面）には、厚さ３０μｍの銅層からなる送信アンテナ４３、受信アンテナ４４がそれぞれパターン形成されている。基板４２０の反対面（−Ｚ側の面）は、接着剤層４２４によって、ベルト２０の外周面２０ｂに貼り付けられている。この構造では、第１の送信アンテナ４１と第１の受信アンテナ４２の指向性は、それぞれ破線Ｄ４１，Ｄ４２で示すように−Ｚ方向に広がる。一方、第２の送信アンテナ４３と第２の受信アンテナ４４の指向性は、それぞれ破線Ｄ４３，Ｄ４４で示すように＋Ｚ方向に広がる。銅層４１２，４２２は、第１の送受信アンテナ対（４１，４２）と第２の送受信アンテナ対（４３，４４）との間で電波を遮蔽する。これにより、第１の送受信アンテナ対（４１，４２）と第２の送受信アンテナ対（４３，４４）との間の干渉が抑制されて、後述の脈波信号、拍動信号を精度良く取得できる。なお、基板４１０，４２０は、送受信アンテナ群４０Ｅのためのベース部４００を構成している。上記遮蔽層は、銅などの導電材料に限られるものではなく、電波に対する遮蔽効果を有すればよい。
【００７１】
なお、図６（Ｂ）に示すように、ベルト２０の内周面２０ａ側および外周面２０ｂ側が平坦になるように、各送信アンテナ４１，４３および各受信アンテナ４２，４４はベルト（符号２０′で表す。）に埋め込まれていてもよい。この例では、ベルト２０′の厚さは８ｍｍに設定されている。このようにした場合、ベルト２０′の内周面２０ａ側が平坦になっているので、ベルト２０′を装着した被験者８０に不快感（ベルトの内周面側が凸凹になっていることによる不快感）を与えることがない。また、ベルト２０′の外周面２０ｂ側が平坦になっているので、仮に被験者８０の活動に伴ってベルト２０′の外周面２０ｂが机や壁などに接触したとしても、この血圧計１の送受信アンテナ群４０Ｅは、破損し難くなる。また、見栄えを良くすることができる。
【００７２】
図７（Ａ）は、図６（Ａ）に相当する送受信アンテナ群４０Ｅの断面構造を示している。この図７（Ａ）上部に示すように、第１の送受信アンテナ対（４１，４２）がＸ方向に並び、かつ、第２の送受信アンテナ対（４３，４４）がＸ方向に並ぶアンテナ配置を（Ａｘ，Ａｘ）と表すものとする。図７（Ｃ）は、図７（Ａ）のものを右側方（−Ｚ方向）から見たときの第１の送受信アンテナ対（４１，４２）を示している。この例では、第１の送信アンテナ４１、第１の受信アンテナ４２においてそれぞれ後述の送信回路、受信回路につながる給電点４１ａ，４２ａが−Ｘ側の辺の中央に設けられている。これにより、第１の送信アンテナ４１から発射される電波の偏波方向、第１の受信アンテナ４２によって受信される電波の偏波方向は、両者の間の送受信が低損失で行われるように、互いにＸ方向に沿った直線偏波Ｐｘになっている。また、図７（Ｂ）は、図７（Ａ）のものを左側方（＋Ｚ方向）から見たときの第２の送受信アンテナ対（４３，４４）を示している。この例では、第２の送信アンテナ４３、第２の受信アンテナ４４においてそれぞれ後述の送信回路、受信回路につながる給電点４３ａ，４４ａが−Ｘ側の辺の中央に設けられている。これにより、第２の送信アンテナ４３から発射される電波の偏波方向、第２の受信アンテナ４４によって受信される電波の偏波方向は、両者の間の送受信が低損失で行われるように、互いにＸ方向に沿った直線偏波Ｐｘになっている。このように、第１の送受信アンテナ対（４１，４２）の偏波方向が直線偏波Ｐｘであり、かつ、第２の送受信アンテナ対（４３，４４）の偏波方向が直線偏波Ｐｘである組合せを、図７（Ａ）上部に符号（Ｐｘ，Ｐｘ）で表している。なお、給電点４１ａ，４２ａ、給電点４３ａ，４４ａが配置される位置は、それぞれ辺の中央に限られるものではなく、中央からずれた位置であってもよい（後述の例でも同様。）。
【００７３】
図８は、血圧計１の制御系の全体的なブロック構成を示している。血圧計１の本体１０には、既述の表示器５０、操作部５２に加えて、制御部としてのＣＰＵ（Central Processing Unit）１００、記憶部としてのメモリ５１、通信部５９、圧力センサ３１、ポンプ３２、弁３３、圧力センサ３１からの出力を周波数に変換する発振回路３１０、および、ポンプ３２を駆動するポンプ駆動回路３２０が搭載されている。さらに、送受信部４０には、既述の送受信アンテナ群４０Ｅに加えて、ＣＰＵ１００によって制御される送受信回路群４５が搭載されている。
【００７４】
表示器５０は、この例では有機ＥＬ（Electro Luminescence）ディスプレイからなり、ＣＰＵ１００からの制御信号に従って、血圧測定結果などの血圧測定に関する情報、その他の情報を表示する。なお、表示器５０は、有機ＥＬディスプレイに限られるものではなく、例えばＬＣＤ（Liquid Cristal Display）など、他のタイプの表示器からなっていてもよい。
【００７５】
操作部５２は、この例ではプッシュ式スイッチからなり、被験者８０による血圧測定開始又は停止の指示に応じた操作信号をＣＰＵ１００に入力する。なお、操作部５２は、プッシュ式スイッチに限られるものではなく、例えば感圧式（抵抗式）または近接式（静電容量式）のタッチパネル式スイッチなどであってもよい。また、図示しないマイクロフォンを備えて、被験者８０の音声によって血圧測定開始の指示を入力するようにしてもよい。
【００７６】
メモリ５１は、血圧計１を制御するためのプログラムのデータ、血圧計１を制御するために用いられるデータ、血圧計１の各種機能を設定するための設定データ、血圧値の測定結果のデータなどを非一時的に記憶する。また、メモリ５１は、プログラムが実行されるときのワークメモリなどとして用いられる。
【００７７】
ＣＰＵ１００は、メモリ５１に記憶された血圧計１を制御するためのプログラムに従って、制御部として各種機能を実行する。例えば、オシロメトリック法による血圧測定を実行する場合は、ＣＰＵ１００は、操作部５２からの血圧測定開始の指示に応じて、圧力センサ３１からの信号に基づいて、ポンプ３２（および弁３３）を駆動する制御を行う。また、ＣＰＵ１００は、この例では圧力センサ３１からの信号に基づいて、血圧値を算出する制御を行う。
【００７８】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介した通信は、無線、有線のいずれでも良い。この実施形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。この通信部５９は、マイクロＵＳＢコネクタを含んでいてもよい。
【００７９】
ポンプ３２および弁３３はエア配管３９を介して、また、圧力センサ３１はエア配管３８を介して、それぞれ押圧カフ２１に接続されている。なお、エア配管３９，３８は、共通の１本の配管であってもよい。圧力センサ３１は、エア配管３８を介して、押圧カフ２１内の圧力を検出する。ポンプ３２は、この例では圧電ポンプからなり、押圧カフ２１内の圧力（カフ圧）を加圧するために、エア配管３９を通して押圧カフ２１に加圧用の流体としての空気を供給する。弁３３は、ポンプ３２に搭載され、ポンプ３２のオン／オフに伴って開閉が制御される構成になっている。すなわち、弁３３は、ポンプ３２がオンされると閉じて、押圧カフ２１内に空気を封入する一方、ポンプ３２がオフされると開いて、押圧カフ２１の空気をエア配管３９を通して大気中へ排出させる。なお、弁３３は、逆止弁の機能を有し、排出されるエアが逆流することはない。ポンプ駆動回路３２０は、ポンプ３２をＣＰＵ１００から与えられる制御信号に基づいて駆動する。
【００８０】
圧力センサ３１は、この例ではピエゾ抵抗式圧力センサであり、エア配管３８を通してベルト２０（押圧カフ２１）の圧力、この例では大気圧を基準（ゼロ）とした圧力を検出して時系列の信号として出力する。発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。この例では、圧力センサ３１の出力は、押圧カフ２１の圧力を制御するため、および、オシロメトリック法によって血圧値（収縮期血圧（Systolic Blood Pressure；ＳＢＰ）と拡張期血圧（Diastolic Blood Pressure；ＤＢＰ）とを含む。）を算出するために用いられる。
【００８１】
電池５３は、本体１０に搭載された要素、この例では、ＣＰＵ１００、圧力センサ３１、ポンプ３２、弁３３、表示器５０、メモリ５１、通信部５９、発振回路３１０、ポンプ駆動回路３２０の各要素へ電力を供給する。また、電池５３は、配線７１を通して、送受信部４０の送受信回路群４５へも電力を供給する。この配線７１は、信号用の配線７２とともに、ベルト２０の帯状体２０Ｃと押圧カフ２１との間に挟まれた状態で、ベルト２０の長手方向Ｘに沿って本体１０と送受信部４０との間に延在して設けられている。
【００８２】
送受信部４０の送受信回路群４５は、送信アンテナ４１，４３にそれぞれ接続された送信回路４６，４８と、受信アンテナ４２，４４にそれぞれ接続された受信回路４７，４９とを含んでいる。図９に示すように、送信回路４６は、その動作時に、接続された第１の送信アンテナ４１を介して、この例では２４ＧＨｚ帯の周波数ｆ１（この例では、ｆ１＝２４．０５ＧＨｚとする。）の電波Ｅ１を橈骨動脈９１へ向けて発射する。受信回路４７は、左手首９０の橈骨動脈９１および／またはこの橈骨動脈９１の脈波に伴って変位する組織９１ａによって反射された電波Ｅ１′を、送信回路４６からの参照信号（周波数ｆ１）に基づいて特定し、第１の受信アンテナ４２を介して受信して、検波および増幅する。一方、送信回路４８は、その動作時に、接続された第２の送信アンテナ４３を介して、この例では２４ＧＨｚ帯の同じ周波数ｆ１の電波Ｅ２を心臓８１へ向けて発射する。受信回路４９は、心臓８１および／またはこの心臓８１の拍動に伴って変位する組織８１ａによって反射された電波Ｅ２′を、送信回路４８からの参照信号（周波数ｆ１）に基づいて特定し、第２の受信アンテナ４４を介して受信して、検波および増幅する。この例では、送受信部４０に送受信回路群４５が搭載されているので、送信回路４６，４８から各送信アンテナ４１，４３までの給電経路を比較的短くでき、電波Ｅ１，Ｅ２の波形の劣化を抑制できる。また、各受信アンテナ４２，４４から受信回路４７，４９までの受信経路を比較的短くできる。これらの結果、後述する脈波信号、拍動信号を精度良く取得できる。以下では、簡単のため、反射された電波Ｅ１′は橈骨動脈９１によって反射された電波であるものとし、また、反射された電波Ｅ２′は心臓８１によって反射された電波であるものとする。
【００８３】
後に詳述するように、図９中に示す脈波検出部１０１は、受信回路４７の出力に基づいて、左手首９０を通る橈骨動脈９１の脈波を表す脈波信号ＰＳ１を取得する。拍動検出部１０２は、受信回路４９の出力に基づいて、心臓８１の拍動を表す拍動信号ＰＳ２を取得する。さらに、時間差取得部としてのＰＴＴ算出部１０３は、脈波検出部１０１と拍動検出部１０２がそれぞれ取得した脈波信号ＰＳ１、拍動信号ＰＳ２の間の時間差を、脈波伝播時間（Pulse Transit Time；ＰＴＴ）として取得する。また、第１の血圧算出部１０４は、脈波伝播時間と血圧との間の予め定められた対応式を用いて、ＰＴＴ算出部１０３によって取得された脈波伝播時間に基づいて血圧値を算出する。ここで、脈波検出部１０１、拍動検出部１０２、ＰＴＴ算出部１０３、および第１の血圧算出部１０４は、ＣＰＵ１００が例えばメモリ５１に記憶された所定のプログラムを実行することによって実現される。第１の送信アンテナ４１、第１の受信アンテナ４２、送信回路４６、受信回路４７、および、脈波検出部１０１を、第１のセンサ４０−１と呼ぶ。第２の送信アンテナ４３、第２の受信アンテナ４４、送信回路４８、受信回路４９、および、拍動検出部１０２を、第２のセンサ４０−２と呼ぶ。なお、送受信回路群４５、脈波検出部１０１、および、拍動検出部１０２は、既述の生体情報検出部１１０に相当する。
【００８４】
動作時には、第１のセンサ４０−１の脈波検出部１０１、第２のセンサ４０−２の拍動検出部１０２は、それぞれ受信回路４７，４９の出力に基づいて、それぞれ図１３中に示すような山状の波形をもつ脈波信号ＰＳ１、拍動信号ＰＳ２を時系列で出力する。拍動信号ＰＳ２は、第２の送受信アンテナ対（４３，４４）と心臓８１との間の、拍動に伴う距離の変化を表す。脈波信号ＰＳ１は、第１の送受信アンテナ対（４１，４２）と橈骨動脈９１との間の、脈波（血管の拡張と収縮をもたらす）に伴う距離の変化を表す。拍動信号ＰＳ２は、脈波信号ＰＳ１よりも先行して現れる。
【００８５】
この例では、図５に示した推奨測定姿勢ＰＯでの動作時には、第１の送受信アンテナ対（４１，４２）と橈骨動脈９１との間の距離は約５ｍｍ、第２の送受信アンテナ対（４３，４４）と心臓８１との間の距離は約５０ｍｍに、それぞれ想定されている。それらの距離を前提として、第１の送信アンテナ４１、第２の送信アンテナ４３が発射する電波強度のレベルは、それぞれ約０．５ｍＷ、約１０ｍＷになっている。受信アンテナ４２，４４の受信レベルは、それぞれ約１μＷ（１ｍＷに対するデシベル値では−３０ｄＢｍ）、約０．２μＷ程度になっている。受信回路４７，４９の出力レベルは、それぞれ約１ボルト程度になっている。また、脈波信号ＰＳ１、拍動信号ＰＳ２のそれぞれのピークＡ１，Ａ２の強度レベルは、それぞれ約１００ｍＶ〜１ボルトの程度になっている。これにより、脈波信号ＰＳ１、拍動信号ＰＳ２を精度良く取得できる。
【００８６】
なお、例えば、心臓８１から左手首９０までの動脈に沿った距離が７０ｃｍであり、脈波伝播速度（Pulse Wave Velocity；ＰＷＶ）が１０００ｃｍ／ｓ〜２０００ｃｍ／ｓの範囲であるとすると、拍動信号ＰＳ２と脈波信号ＰＳ１と間の時間差Δｔは３５ｍｓ〜７０ｍｓの範囲となる。
【００８７】
（オシロメトリック法による血圧測定の構成および動作）
図１０は、血圧計１において、オシロメトリック法を行うためのプラグラムによって実装されるブロック構成を示している。
【００８８】
このブロック構成では、大別して、圧力制御部２０１と、第２の血圧算出部２０４と、出力部２０５とが実装されている。
【００８９】
圧力制御部２０１は、さらに、圧力検知部２０２と、ポンプ駆動部２０３とを含んでいる。圧力検知部２０２は、圧力センサ３１から発振回路３１０を通して入力された周波数信号を処理して、押圧カフ２１内の圧力（カフ圧）を検知するための処理を行う。ポンプ駆動部２０３は、検知されたカフ圧Ｐｃ（図１２参照）に基づいて、ポンプ駆動回路３２０を通してポンプ３２と弁３３を駆動するための処理を行う。これにより、圧力制御部２０１は、所定の加圧速度で、押圧カフ２１に空気を供給して圧力を制御する。
【００９０】
第２の血圧算出部２０４は、カフ圧Ｐｃに含まれた動脈容積の変動成分を脈波信号Ｐｍ（図１２参照）として取得し、取得された脈波信号Ｐｍに基づいて、オシロメトリック法により公知のアルゴリズムを適用して血圧値（収縮期血圧ＳＢＰと拡張期血圧ＤＢＰ）を算出する処理を行う。血圧値の算出が完了すると、第２の血圧算出部２０４は、ポンプ駆動部２０３の処理を停止させる。
【００９１】
出力部２０５は、算出された血圧値（収縮期血圧ＳＢＰと拡張期血圧ＤＢＰ）を、この例では表示器５０に表示するための処理を行う。
【００９２】
図１１は、血圧計１がオシロメトリック法による血圧測定を行う際の動作フロー（血圧測定方法のフロー）を示している。血圧計１のベルト２０は、被験者８０の左手首９０を取り巻くように予め装着されているものとする。また、被験者８０は、図５に示した推奨測定姿勢ＰＯをとるものとする。
【００９３】
被験者８０が本体１０に設けられた操作部５２としてのプッシュ式スイッチによってオシロメトリック法による血圧測定を指示すると（図１１のステップＳ１）、ＣＰＵ１００は動作を開始して、処理用メモリ領域を初期化する（ステップＳ２）。また、ＣＰＵ１００は、ポンプ駆動回路３２０を介してポンプ３２をオフし、弁３３を開いて、押圧カフ２１内の空気を排気する。続いて、圧力センサ３１の現時点の出力値を大気圧に相当する値として設定する制御を行う（０ｍｍＨｇ調整）。
【００９４】
続いて、ＣＰＵ１００は、圧力制御部２０１のポンプ駆動部２０３として働いて、弁３３を閉鎖し、その後、ポンプ駆動回路３２０を介してポンプ３２を駆動して、押圧カフ２１に空気を送る制御を行う。これにより、押圧カフ２１を膨張させるとともにカフ圧Ｐｃ（図１２参照）を徐々に加圧して、被測定部位としての左手首９０を圧迫してゆく（図１１のステップＳ３）。
【００９５】
この加圧過程で、ＣＰＵ１００は、血圧値を算出するために、圧力制御部２０１の圧力検知部２０２として働いて、圧力センサ３１によって、カフ圧Ｐｃをモニタし、左手首９０の橈骨動脈９１で発生する動脈容積の変動成分を、図１２中に示すような脈波信号Ｐｍとして取得する。
【００９６】
次に、図１１中のステップＳ４で、ＣＰＵ１００は、第２の血圧算出部として働いて、この時点で取得されている脈波信号Ｐｍに基づいて、オシロメトリック法により公知のアルゴリズムを適用して血圧値（収縮期血圧ＳＢＰと拡張期血圧ＤＢＰ）の算出を試みる。
【００９７】
この時点で、データ不足のために未だ血圧値を算出できない場合は（ステップＳ５でＮＯ）、カフ圧Ｐｃが上限圧力（安全のために、例えば３００ｍｍＨｇというように予め定められている。）に達していない限り、ステップＳ３〜Ｓ５の処理を繰り返す。
【００９８】
このようにして血圧値の算出ができたら（ステップＳ５でＹＥＳ）、ＣＰＵ１００は、ポンプ３２を停止し、弁３３を開いて、押圧カフ２１内の空気を排気する制御を行う（ステップＳ６）。そして最後に、ＣＰＵ１００は出力部２０５として働いて、血圧値の測定結果を表示器５０に表示するとともに、メモリ５１に記録する（ステップＳ７）。
【００９９】
なお、血圧値の算出は、加圧過程に限らず、減圧過程において行われてもよい。
【０１００】
（脈波伝播時間に基づく血圧測定の動作）
図１４は、この発明の一実施形態の生体情報測定方法および血圧測定方法に係る動作フローであって、血圧計１が脈波伝播時間（Pulse Transit Time；ＰＴＴ）を取得し、その脈波伝播時間に基づく血圧測定（推定）を行うものを示している。血圧計１のベルト２０は、被験者８０の左手首９０を取り巻くように予め装着されているものとする。また、被験者８０は、図５に示した推奨測定姿勢ＰＯをとるものとする。
【０１０１】
被験者８０が本体１０に設けられた操作部５２としてのプッシュ式スイッチによってＰＴＴに基づく血圧測定を指示すると、ＣＰＵ１００は動作を開始する。すなわち、図１４のステップＳ１１に示すように、ＣＰＵ１００は、弁３３を閉鎖するとともに、ポンプ駆動回路３２０を介してポンプ３２を駆動して、押圧カフ２１に空気を送る制御を行って、押圧カフ２１を膨張させるとともにカフ圧Ｐｃを予め定められた値に加圧する。この例では、被験者８０の身体的負担を軽くするために、左手首９０に対してベルト２０が密接するのに足りる程度の加圧（例えば５ｍｍＨｇ程度）に留める。これにより、左手首９０の掌側面９０ａに押圧カフ２１を確実に当接させて、第１の送受信アンテナ対（４１，４２）と橈骨動脈９１との間の距離が被験者８０の体動に起因してガタガタと変動しないようにする。なお、このステップＳ１１を省略してもよい。
【０１０２】
次に、この装着状態で、図１４のステップＳ１２に示すように、ＣＰＵ１００は、図９中に示した第１のセンサ４０−１と第２のセンサ４０−２においてそれぞれ、送信および受信の制御を行う。具体的には、第１のセンサ４０−１において、送信回路４６が、第１の送信アンテナ４１を介して、橈骨動脈９１へ向けて電波Ｅ１を発射する。これとともに、受信回路４７が、橈骨動脈９１によって反射された電波Ｅ１′を、送信回路４６からの参照信号（周波数ｆ１）に基づいて特定し、第１の受信アンテナ４２を介して受信して、検波および増幅する。また、第２のセンサ４０−２において、送信回路４８が、第２の送信アンテナ４３を介して、心臓８１へ向けて電波Ｅ２を発射する。これとともに、受信回路４９が、心臓８１によって反射された電波Ｅ２′を、送信回路４８からの参照信号（周波数ｆ１）に基づいて特定し、第２の受信アンテナ４４を介して受信して、検波および増幅する。
【０１０３】
次に、図１４のステップＳ１３に示すように、ＣＰＵ１００は、図９中に示した第１のセンサ４０−１と第２のセンサ４０−２においてそれぞれ、脈波検出部１０１、拍動検出部１０２として働いて、図１３中に示すような脈波信号ＰＳ１、拍動信号ＰＳ２を取得する。すなわち、第１のセンサ４０−１において、ＣＰＵ１００は脈波検出部１０１として働いて、受信回路４７の血管拡張期の出力と血管収縮期の出力から、橈骨動脈９１の脈波を表す脈波信号ＰＳ１を取得する。また、第２のセンサ４０−２において、ＣＰＵ１００は拍動検出部１０２として働いて、受信回路４９の心臓拡張期の出力と心臓収縮期の出力から、心臓８１の拍動を表す拍動信号ＰＳ２を取得する。
【０１０４】
次に、図１４のステップＳ１４に示すように、ＣＰＵ１００は時間差取得部としてのＰＴＴ算出部１０３として働いて、拍動信号ＰＳ２と脈波信号ＰＳ１との間の時間差を、脈波伝播時間（ＰＴＴ）として取得する。より詳しくは、この例では、図１３中に示した拍動信号ＰＳ２のピークＡ２と脈波信号ＰＳ１のピークＡ１との間の時間差Δｔを脈波伝播時間（ＰＴＴ）として取得する。
【０１０５】
この後、図１４のステップＳ１５に示すように、ＣＰＵ１００は第１の血圧算出部として働いて、脈波伝播時間と血圧との間の予め定められた対応式Ｅｑを用いて、ステップＳ１４で取得された脈波伝播時間（ＰＴＴ）に基づいて、血圧を算出（推定）する。ここで、脈波伝播時間と血圧との間の予め定められた対応式Ｅｑは、それぞれ脈波伝播時間をＤＴ、血圧をＥＢＰと表すとき、例えば
ＥＢＰ＝α／ＤＴ２＋β                        …（Ｅｑ．１）
（ただし、α、βはそれぞれ既知の係数または定数を表す。）
で示すような、１／ＤＴ２の項を含む公知の分数関数として提供される（例えば、特開平１０−２０１７２４号公報参照）。なお、脈波伝播時間と血圧との間の予め定められた対応式Ｅｑとしては、その他、
ＥＢＰ＝α／ＤＴ２＋β／ＤＴ＋γＤＴ＋δ      …（Ｅｑ．２）
（ただし、α、β、γ、δはそれぞれ既知の係数または定数を表す。）
のように、１／ＤＴ２の項に加えて、１／ＤＴの項と、ＤＴの項とを含む式など、公知の別の対応式を用いてもよい。
【０１０６】
このようにして血圧を算出（推定）する場合、被験者８０が身体的には左手首９０を取り巻いてベルト２０を装着し予め定められた推奨測定姿勢ＰＯをとるだけで、その左手首９０の橈骨動脈９１の脈波を表す脈波信号ＰＳ１と心臓８１の拍動を表す拍動信号ＰＳ２とが取得され、血圧値が算出される。つまり、測定の際に、被験者８０の心臓８１を挟む部分に電極を装着或いは貼着する必要が無く、被験者８０はベルト２０に左手首９０を通してバックル２４を閉じるだけで、血圧計１（ベルト２０）を左手首９０に容易に装着することができる。また、被験者８０がとる推奨測定姿勢ＰＯとして、上半身を起こした姿勢や寝た姿勢など様々な姿勢を含むことができ、自由度が大きい。したがって、この血圧計１は、測定のための被験者８０の身体的負担が少ない。なお、血圧値の測定結果は、表示器５０に表示されるとともに、メモリ５１に記録される。
【０１０７】
この例では、図１４のステップＳ１６において操作部５２としてのプッシュ式スイッチによって測定停止が指示されていなければ（ステップＳ１６でＮＯ）、脈波伝播時間（ＰＴＴ）の算出（図１４のステップＳ１４）と、血圧の算出（推定）（図１４のステップＳ１５）とを、脈波と拍動に応じて第１、第２の脈波信号ＰＳ１，ＰＳ２が入力されるごとに周期的に繰り返す。ＣＰＵ１００は、血圧値の測定結果を、表示器５０に更新して表示するとともに、メモリ５１に蓄積して記録する。そして、図１４のステップＳ１６において測定停止が指示されると（ステップＳ１６でＹＥＳ）、測定動作を終了する。
【０１０８】
この血圧計１によれば、この脈波伝播時間（ＰＴＴ）に基づく血圧測定によって、被験者８０の身体的負担が軽い状態で、血圧を長期間にわたって連続的に測定することができる。
【０１０９】
また、この血圧計１では、ベルト２０に対して送受信部４０と本体１０（ＣＰＵ１００等を含む。）とが一体に設けられているので、脈波伝播時間に基づく血圧測定（推定）と、オシロメトリック法による血圧測定とを、共通のベルト２０を用いて、一体の装置で行うことができる。したがって、ユーザである被験者８０の利便性を高めることができる。例えば、一般に、脈波伝播時間（ＰＴＴ）に基づく血圧測定（推定）を行う場合は、適宜、脈波伝播時間と血圧との間の対応式Ｅｑの校正（上の例では、実測された脈波伝播時間と血圧値に基づく係数α、β等の値の更新）を行う必要がある。ここで、この血圧計１によれば、同じ機器でオシロメトリック法による血圧測定を行い、その結果に基づいて対応式Ｅｑの校正を行うことができるので、被験者８０の利便性を高めることができる。また、精度は低いけれども連続して測定できるＰＴＴ方式（脈波伝播時間に基づく血圧測定）で血圧の急激な上昇を捉え、その血圧の急激な上昇をトリガにして、より正確なオシロメトリック法での測定を開始することができる。
【０１１０】
特に、この血圧計１では、受信アンテナ４２，４４の出力から脈波信号ＰＳ１、拍動信号ＰＳ２、脈波伝播時間（ＰＴＴ）、および、血圧値を得るために、ベルト２０の外部へ配線を延在させる必要が無い。したがって、この血圧計１によれば、測定の際に、被験者８０は配線ケーブルに煩わされることが無く、身体的負担が少ない。
【０１１１】
上の例では、第１の送信アンテナ４１と第１の受信アンテナ４２は互いに別体として設けられたが、これに限られるものではない。空間的に１つのアンテナ要素が公知のサーキュレータを介して送信アンテナおよび受信アンテナ（つまり、送受共用アンテナ）として用いられてもよい。第２の送信アンテナ４３と第２の受信アンテナ４４についても、同様である。
【０１１２】
（変形例１；周波数のバリエーション）
上の例では、図９中に示したように、送信アンテナ４１から左手首９０の橈骨動脈９１へ向けて発射される電波Ｅ１の周波数と、送信アンテナ４３から心臓８１へ向けて発射される電波Ｅ２の周波数とが、互いに同じ周波数ｆ１であるものとした。しかしながら、これに限られるものではない。例えば、図１５中に示すように、送信アンテナ４１から左手首９０の橈骨動脈９１へ向けて発射される電波Ｅ１の周波数ｆ１と、送信アンテナ４３から心臓８１へ向けて発射される電波Ｅ２の周波数ｆ２とが、互いに異なっていてもよい。この例では、ｆ１＝２４．０５ＧＨｚとし、ｆ２＝２４．２５ＧＨｚとする。
【０１１３】
図１５の例では、送信回路４６は、その動作時に、接続された第１の送信アンテナ４１を介して、周波数ｆ１（＝２４．０５ＧＨｚ）の電波Ｅ１を橈骨動脈９１へ向けて発射する。受信回路４７は、左手首９０の橈骨動脈９１によって反射された電波Ｅ１′を、送信回路４６からの参照信号（周波数ｆ１）に基づいて特定し、第１の受信アンテナ４２を介して受信して、検波および増幅する。一方、送信回路４８は、その動作時に、接続された第２の送信アンテナ４３を介して、周波数ｆ２（＝２４．２５ＧＨｚ）の電波Ｅ２を心臓８１へ向けて発射する。受信回路４９は、心臓８１によって反射された電波Ｅ２′を、送信回路４８からの参照信号（周波数ｆ２）に基づいて特定し、第２の受信アンテナ４４を介して受信して、検波および増幅する。
【０１１４】
このようにした場合、左手首９０の橈骨動脈９１によって反射された電波Ｅ１′と、心臓８１によって反射された電波Ｅ２′とを、互いに周波数ｆ１，ｆ２で選別して混信を避けることができる。この結果、脈波信号ＰＳ１、拍動信号ＰＳ２を精度良く取得できる。
【０１１５】
（変形例２；アンテナ配置のバリエーション）
上の例では、例えば図３中に示したように、第１の送受信アンテナ対（４１，４２）がＸ方向に並び、かつ、第２の送受信アンテナ対（４３，４４）がＸ方向に並ぶアンテナ配置（Ａｘ，Ａｘ）（このアンテナ配置の符号を図７（Ａ）上部に示す。）であるものとした。しかしながら、これに限られるものではない。例えば、図１６（Ａ），図１６（Ｂ）に示すように、第１の送受信アンテナ対（４１，４２）がＹ方向に並び、かつ、第２の送受信アンテナ対（４３，４４）がＹ方向に並ぶアンテナ配置（Ａｙ，Ａｙ）（このアンテナ配置の符号を図１６（Ａ）上部に示す。）であってもよい。ここで、図１６（Ａ）は、図３に対応した左手首９０の長手方向に対して垂直な断面（ＺＸ平面）を示し、また、図１６（Ｂ）は、図１６（Ａ）のものを左手首９０の長手方向に沿った断面（ＹＺ平面）で示している（次に述べる図１７、図１８でも同様。）。また、簡単のため、本体１０と押圧カフ２１の図示は省略されている（以下同様。）。
【０１１６】
また、図１７（Ａ），図１７（Ｂ）に示すように、第１の送受信アンテナ対（４１，４２）がＸ方向に並び、かつ、第２の送受信アンテナ対（４３，４４）がＹ方向に並ぶアンテナ配置（Ａｘ，Ａｙ）（このアンテナ配置の符号を図１７（Ａ）上部に示す。）であってもよい。
【０１１７】
また、図１８（Ａ），図１８（Ｂ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）（このアンテナ配置の符号を図１８（Ａ）上部に示す。）であってもよい。なお、この例では、図２０（Ｂ），図２０（Ｃ）中に示すように、第１の送受信アンテナ対（４１，４２）の偏波方向が直線偏波Ｐｘであり、かつ、第２の送受信アンテナ対（４３，４４）の偏波方向が直線偏波Ｐｘであるものとする。図２０（Ａ）上部に、アンテナ配置の符号（Ａｙ，Ａｘ）とともに、この偏波方向の組合せを符号（Ｐｘ，Ｐｘ）で表している。
【０１１８】
先に述べたアンテナ配置（Ａｘ，Ａｘ）と同様に、アンテナ配置がこれらの（Ａｙ，Ａｙ）、（Ａｘ，Ａｙ）、（Ａｙ，Ａｘ）であっても、第１の送信アンテナ４１から橈骨動脈９１へ向けて電波Ｅ１を発射し、橈骨動脈９１によって反射された電波Ｅ１′を第１の受信アンテナ４２を介して受信することができる。これとともに、第２の送信アンテナ４３から心臓８１へ向けて電波Ｅ２を発射し、心臓８１によって反射された電波Ｅ２′を受信アンテナ４４を介して受信することができる。これにより、脈波信号ＰＳ１、拍動信号ＰＳ２を精度良く取得できる。
【０１１９】
（変形例３；偏波方向のバリエーション）
上の例では、例えば図７（Ｃ），図７（Ｂ）中に示したように、第１の送受信アンテナ対（４１，４２）の偏波方向が直線偏波Ｐｘであり、かつ、第２の送受信アンテナ対（４３，４４）の偏波方向が直線偏波Ｐｘであるものとした（図７（Ａ）上部に、この偏波方向の組合せを符号（Ｐｘ，Ｐｘ）で表している。）。しかしながら、これに限られるものではない。例えば、図１９（Ｃ）に示すように、第１の送信アンテナ４１、第１の受信アンテナ４２において、それぞれ給電点４１ａ，４２ａを−Ｙ側の辺の中央に設けて、第１の送受信アンテナ対（４１，４２）の偏波方向を直線偏波Ｐｙにしてもよい。同様に、図１９（Ｂ）に示すように、第２の送信アンテナ４３、第２の受信アンテナ４４において、それぞれ給電点４３ａ，４４ａを＋Ｙ側の辺の中央に設けて、第２の送受信アンテナ対（４３，４４）の偏波方向を直線偏波Ｐｙにしてもよい。これにより、第１の送信アンテナ４１と第１の受信アンテナ４２との間の送受信、第２の送信アンテナ４３と第２の受信アンテナ４４との間の送受信をそれぞれ低損失で行うことができる。この結果、脈波信号ＰＳ１、拍動信号ＰＳ２を精度良く取得できる。図１９（Ａ）上部に、この偏波方向の組合せを符号（Ｐｙ，Ｐｙ）で表している。
【０１２０】
また、上の例と同じ理由で、例えば図２１（Ａ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）の場合に、例えば図２１（Ｃ），図２１（Ｂ）に示すように、第１の送受信アンテナ対（４１，４２）の偏波方向を直線偏波Ｐｙにし、かつ、第２の送受信アンテナ対（４３，４４）の偏波方向を直線偏波Ｐｙにしてもよい。図２１（Ａ）上部に、アンテナ配置の符号（Ａｙ，Ａｘ）とともに、この偏波方向の組合せを符号（Ｐｙ，Ｐｙ）で表している。
【０１２１】
また、上の例と同じ理由で、例えば図２２（Ａ）に示すように、第１の送受信アンテナ対（４１，４２）がＸ方向に並び、かつ、第２の送受信アンテナ対（４３，４４）がＸ方向に並ぶアンテナ配置（Ａｘ，Ａｘ）の場合に、例えば図２２（Ｃ）に示すように、第１の送信アンテナ４１において、給電点４１ａを−Ｘ側の辺の中央に設けるとともに、−Ｘ側の辺と＋Ｙ側の辺とが作るコーナ部に切り欠き（摂動素子）４１ｃ、＋Ｘ側の辺と−Ｙ側の辺とが作るコーナ部に切り欠き（摂動素子）４１ｄをそれぞれ設けて、第１の送信アンテナ４１の偏波方向を右旋回の円偏波Ｐｒにしてもよい。これとともに、第１の受信アンテナ４２において、給電点４２ａを−Ｘ側の辺の中央に設けるとともに、−Ｘ側の辺と＋Ｙ側の辺とが作るコーナ部に切り欠き（摂動素子）４２ｃ、＋Ｘ側の辺と−Ｙ側の辺とが作るコーナ部に切り欠き（摂動素子）４２ｄをそれぞれ設けて、第１の受信アンテナ４２の偏波方向を右旋回の円偏波Ｐｒにする。このようにして、第１の送受信アンテナ対（４１，４２）の偏波方向を右旋回の円偏波Ｐｒにしてもよい。同様に、図２２（Ｂ）に示すように、第２の送信アンテナ４３において、給電点４３ａを−Ｘ側の辺の中央に設けるとともに、−Ｘ側の辺と−Ｙ側の辺とが作るコーナ部に切り欠き（摂動素子）４３ｃ、＋Ｘ側の辺と＋Ｙ側の辺とが作るコーナ部に切り欠き（摂動素子）４３ｄをそれぞれ設けて、第２の送信アンテナ４３の偏波方向を右旋回の円偏波Ｐｒにしてもよい。これとともに、第２の受信アンテナ４４において、給電点４４ａを−Ｘ側の辺の中央に設けるとともに、−Ｘ側の辺と−Ｙ側の辺とが作るコーナ部に切り欠き（摂動素子）４４ｃ、＋Ｘ側の辺と＋Ｙ側の辺とが作るコーナ部に切り欠き（摂動素子）４４ｄをそれぞれ設けて、第２の受信アンテナ４４の偏波方向を右旋回の円偏波Ｐｒにする。このようにして、第２の送受信アンテナ対（４３，４４）の偏波方向を右旋回の円偏波Ｐｒにしてもよい。図２２（Ａ）上部に、アンテナ配置の符号（Ａｘ，Ａｘ）とともに、この偏波方向の組合せを符号（Ｐｒ，Ｐｒ）で表している。
【０１２２】
また、上の例と同じ理由で、例えば図２３（Ａ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）の場合に、例えば図２３（Ｃ）に示すように、第１の送信アンテナ４１において、給電点４１ａを−Ｙ側の辺の中央に設けるとともに、−Ｘ側の辺と−Ｙ側の辺とが作るコーナ部に切り欠き４１ｃ、＋Ｘ側の辺と＋Ｙ側の辺とが作るコーナ部に切り欠き４１ｄをそれぞれ設けて、第１の送信アンテナ４１の偏波方向を右旋回の円偏波Ｐｒにしてもよい。これとともに、第１の受信アンテナ４２において、給電点４２ａを−Ｙ側の辺の中央に設けるとともに、−Ｘ側の辺と−Ｙ側の辺とが作るコーナ部に切り欠き４２ｃ、＋Ｘ側の辺と＋Ｙ側の辺とが作るコーナ部に切り欠き４２ｄをそれぞれ設けて、第１の受信アンテナ４２の偏波方向を右旋回の円偏波Ｐｒにする。このようにして、第１の送受信アンテナ対（４１，４２）の偏波方向を右旋回の円偏波Ｐｒにしてもよい。同様に、図２３（Ｂ）に示すように、第２の送信アンテナ４３において、給電点４３ａを−Ｘ側の辺の中央に設けるとともに、−Ｘ側の辺と−Ｙ側の辺とが作るコーナ部に切り欠き４３ｃ、＋Ｘ側の辺と＋Ｙ側の辺とが作るコーナ部に切り欠き４３ｄをそれぞれ設けて、第２の送信アンテナ４３の偏波方向を右旋回の円偏波Ｐｒにしてもよい。これとともに、第２の受信アンテナ４４において、給電点４４ａを−Ｘ側の辺の中央に設けるとともに、−Ｘ側の辺と−Ｙ側の辺とが作るコーナ部に切り欠き４４ｃ、＋Ｘ側の辺と＋Ｙ側の辺とが作るコーナ部に切り欠き４４ｄをそれぞれ設けて、第２の受信アンテナ４４の偏波方向を右旋回の円偏波Ｐｒにする。このようにして、第２の送受信アンテナ対（４３，４４）の偏波方向を右旋回の円偏波Ｐｒにしてもよい。図２３（Ａ）上部に、アンテナ配置の符号（Ａｙ，Ａｘ）とともに、この偏波方向の組合せを符号（Ｐｒ，Ｐｒ）で表している。
【０１２３】
（変形例４；アンテナ配置と偏波方向のバリエーション）
これまでの例では、第１の送受信アンテナ対（４１，４２）の偏波方向と第２の送受信アンテナ対（４３，４４）の偏波方向とが、互いに同じであるものとした。しかしながら、これに限られるものではない。第１の送受信アンテナ対（４１，４２）の偏波方向と第２の送受信アンテナ対（４３，４４）の偏波方向とが、互いに異なっていてもよい。例えば図２４（Ａ）に示すように、第１の送受信アンテナ対（４１，４２）がＸ方向に並び、かつ、第２の送受信アンテナ対（４３，４４）がＸ方向に並ぶアンテナ配置（Ａｘ，Ａｘ）の場合に、図２４（Ｃ）に示すように、第１の送信アンテナ４１、第１の受信アンテナ４２において、それぞれ給電点４１ａ，４２ａを−Ｙ側の辺の中央に設けて、第１の送受信アンテナ対（４１，４２）の偏波方向を直線偏波Ｐｙにする一方、図２４（Ｂ）に示すように、第２の送信アンテナ４３、第２の受信アンテナ４４において、それぞれ給電点４３ａ，４４ａを−Ｘ側の辺の中央に設けて、第２の送受信アンテナ対（４３，４４）の偏波方向を直線偏波Ｐｘにしてもよい。これにより、左手首９０の橈骨動脈９１によって反射された電波Ｅ１′と、心臓８１によって反射された電波Ｅ２′とを、互いに偏波方向で選別して混信を避けることができる。これにより、脈波信号ＰＳ１、拍動信号ＰＳ２を精度良く取得できる。図２４（Ａ）上部に、アンテナ配置の符号（Ａｘ，Ａｘ）とともに、この偏波方向の組合せを符号（Ｐｙ，Ｐｘ）で表している。
【０１２４】
また、上の例と同じ理由で、例えば図２５（Ａ）に示すように、第１の送受信アンテナ対（４１，４２）がＸ方向に並び、かつ、第２の送受信アンテナ対（４３，４４）がＸ方向に並ぶアンテナ配置（Ａｘ，Ａｘ）の場合に、図２５（Ｃ）に示すように、第１の送信アンテナ４１、第１の受信アンテナ４２において、それぞれ給電点４１ａ，４２ａを−Ｘ側の辺の中央に設けて、第１の送受信アンテナ対（４１，４２）の偏波方向を直線偏波Ｐｘにする一方、図２５（Ｂ）に示すように、第２の送信アンテナ４３、第２の受信アンテナ４４において、それぞれ給電点４３ａ，４４ａを＋Ｙ側の辺の中央に設けて、第２の送受信アンテナ対（４３，４４）の偏波方向を直線偏波Ｐｙにしてもよい。図２５（Ａ）上部に、アンテナ配置の符号（Ａｘ，Ａｘ）とともに、この偏波方向の組合せを符号（Ｐｘ，Ｐｙ）で表している。
【０１２５】
また、上の例と同じ理由で、例えば図２６（Ａ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）の場合に、図２６（Ｃ）に示すように、第１の送信アンテナ４１、第１の受信アンテナ４２において、それぞれ給電点４１ａ，４２ａを−Ｙ側の辺の中央に設けて、第１の送受信アンテナ対（４１，４２）の偏波方向を直線偏波Ｐｙにする一方、図２６（Ｂ）に示すように、第２の送信アンテナ４３、第２の受信アンテナ４４において、それぞれ給電点４３ａ，４４ａを−Ｘ側の辺の中央に設けて、第２の送受信アンテナ対（４３，４４）の偏波方向を直線偏波Ｐｘにしてもよい。図２６（Ａ）上部に、アンテナ配置の符号（Ａｙ，Ａｘ）とともに、この偏波方向の組合せを符号（Ｐｙ，Ｐｘ）で表している。
【０１２６】
また、上の例と同じ理由で、例えば図２７（Ａ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）の場合に、図２７（Ｃ）に示すように、第１の送信アンテナ４１、第１の受信アンテナ４２において、それぞれ給電点４１ａ，４２ａを−Ｘ側の辺の中央に設けて、第１の送受信アンテナ対（４１，４２）の偏波方向を直線偏波Ｐｘにする一方、図２７（Ｂ）に示すように、第２の送信アンテナ４３、第２の受信アンテナ４４において、それぞれ給電点４３ａ，４４ａを＋Ｙ側の辺の中央に設けて、第２の送受信アンテナ対（４３，４４）の偏波方向を直線偏波Ｐｙにしてもよい。図２７（Ａ）上部に、アンテナ配置の符号（Ａｙ，Ａｘ）とともに、この偏波方向の組合せを符号（Ｐｘ，Ｐｙ）で表している。
【０１２７】
また、上の例と同じ理由で、例えば図２８（Ａ）に示すように、第１の送受信アンテナ対（４１，４２）がＸ方向に並び、かつ、第２の送受信アンテナ対（４３，４４）がＸ方向に並ぶアンテナ配置（Ａｘ，Ａｘ）の場合に、例えば図２８（Ｃ）に示すように、第１の送信アンテナ４１において、給電点４１ａを−Ｘ側の辺の中央に設けるとともに、−Ｘ側の辺と−Ｙ側の辺とが作るコーナ部に切り欠き（摂動素子）４１ｅ、＋Ｘ側の辺と＋Ｙ側の辺とが作るコーナ部に切り欠き（摂動素子）４１ｆをそれぞれ設けて、第１の送信アンテナ４１の偏波方向を左旋回の円偏波Ｐｌにしてもよい。これとともに、第１の受信アンテナ４２において、給電点４２ａを−Ｘ側の辺の中央に設けるとともに、−Ｘ側の辺と−Ｙ側の辺とが作るコーナ部に切り欠き（摂動素子）４２ｅ、＋Ｘ側の辺と＋Ｙ側の辺とが作るコーナ部に切り欠き（摂動素子）４２ｆをそれぞれ設けて、第１の受信アンテナ４２の偏波方向を左旋回の円偏波Ｐｌにする。このようにして、第１の送受信アンテナ対（４１，４２）の偏波方向を左旋回の円偏波Ｐｌにする。一方、図２８（Ｂ）に示すように、第２の送信アンテナ４３において、給電点４３ａを−Ｘ側の辺の中央に設けるとともに、−Ｘ側の辺と−Ｙ側の辺とが作るコーナ部に切り欠き４３ｃ、＋Ｘ側の辺と＋Ｙ側の辺とが作るコーナ部に切り欠き４３ｄをそれぞれ設けて、第２の送信アンテナ４３の偏波方向を右旋回の円偏波Ｐｒにする。これとともに、第２の受信アンテナ４４において給電点４４ａを−Ｘ側の辺の中央に設けるとともに、−Ｘ側の辺と−Ｙ側の辺とが作るコーナ部に切り欠き４４ｃ、＋Ｘ側の辺と＋Ｙ側の辺とが作るコーナ部に切り欠き４４ｄをそれぞれ設けて、第２の受信アンテナ４４の偏波方向を右旋回の円偏波Ｐｒにする。このようにして、第２の送受信アンテナ対（４３，４４）の偏波方向を、第１の送受信アンテナ対（４１，４２）の偏波方向（左旋回の円偏波Ｐｌ）とは異なる右旋回の円偏波Ｐｒにする。図２８（Ａ）上部に、アンテナ配置の符号（Ａｘ，Ａｘ）とともに、この偏波方向の組合せを符号（Ｐｌ，Ｐｒ）で表している。
【０１２８】
また、上の例と同じ理由で、例えば図２９（Ａ）に示すように、第１の送受信アンテナ対（４１，４２）がＹ方向に並び、かつ、第２の送受信アンテナ対（４３，４４）がＸ方向に並ぶアンテナ配置（Ａｙ，Ａｘ）の場合に、例えば図２９（Ｃ）に示すように、第１の送信アンテナ４１において、給電点４１ａを−Ｙ側の辺の中央に設けるとともに、＋Ｘ側の辺と−Ｙ側の辺とが作るコーナ部に切り欠き４１ｅ、−Ｘ側の辺と＋Ｙ側の辺とが作るコーナ部に切り欠き４１ｆをそれぞれ設けて、第１の送信アンテナ４１の偏波方向を左旋回の円偏波Ｐｌにしてもよい。これとともに、第１の受信アンテナ４２において、給電点４２ａを−Ｙ側の辺の中央に設けるとともに、＋Ｘ側の辺と−Ｙ側の辺とが作るコーナ部に切り欠き４２ｅ、−Ｘ側の辺と＋Ｙ側の辺とが作るコーナ部に切り欠き４２ｆをそれぞれ設けて、第１の受信アンテナ４２の偏波方向を左旋回の円偏波Ｐｌにする。このようにして、第１の送受信アンテナ対（４１，４２）の偏波方向を左旋回の円偏波Ｐｌにする。一方、図２９（Ｂ）に示すように、第２の送信アンテナ４３において、給電点４３ａを−Ｘ側の辺の中央に設けるとともに、−Ｘ側の辺と−Ｙ側の辺とが作るコーナ部に切り欠き４３ｃ、＋Ｘ側の辺と＋Ｙ側の辺とが作るコーナ部に切り欠き４３ｄをそれぞれ設けて、第２の送信アンテナ４３の偏波方向を右旋回の円偏波Ｐｒにする。これとともに、第２の受信アンテナ４４において、給電点４４ａを−Ｘ側の辺の中央に設けるとともに、−Ｘ側の辺と−Ｙ側の辺とが作るコーナ部に切り欠き４４ｃ、＋Ｘ側の辺と＋Ｙ側の辺とが作るコーナ部に切り欠き４４ｄをそれぞれ設けて、第２の受信アンテナ４４の偏波方向を右旋回の円偏波Ｐｒにする。このようにして、第２の送受信アンテナ対（４３，４４）の偏波方向を、第１の送受信アンテナ対（４１，４２）の偏波方向（左旋回の円偏波Ｐｌ）とは異なる右旋回の円偏波Ｐｒにする。図２９（Ａ）上部に、アンテナ配置の符号（Ａｙ，Ａｘ）とともに、この偏波方向の組合せを符号（Ｐｌ，Ｐｒ）で表している。
【０１２９】
（変形例５；第１の送信アンテナと第２の送信アンテナとの共通化）
これまでの例では、例えば図３中に示したように、第１の送受信アンテナ対（４１，４２）と第２の送受信アンテナ対（４３，４４）（特に、第１の送信アンテナ４１と第２の送信アンテナ４３）は、ベース部４００（基板４１０，４２０を含む。）を介して、それぞれベルト２０の内周面２０ａ、外周面２０ｂに取り付けられているものとした。しかしながら、これに限られるものではない。例えば、上述の第１の送信アンテナ４１と第２の送信アンテナ４３に代えて、図３０（Ａ），図３０（Ｂ）に示すように、左手首９０の橈骨動脈９１と心臓８１との両方へ向けて電波Ｅ１，Ｅ２を発射する共通の第３の送信アンテナ４１Ｘを備えていてもよい。ここで、図３０（Ａ）は、ベルト２０が左手首９０に装着された状態での、この変形例の送受信アンテナ群（符号４０Ｅ′で表す。）の平面レイアウトを示している。図３０（Ｂ）は、図３０（Ａ）における左手首９０の長手方向（Ｙ方向）に沿った断面を模式的に示している。これらの図に示すように、この例では、既述のベース部４００に比してＹ方向寸法が短い小型のベース部４０１と、送受信アンテナ群４０Ｅ′に含まれた第３の送信アンテナ４１Ｘ、第１の受信アンテナ４２′および第２の受信アンテナ４４′を備えている。第３の送信アンテナ４１Ｘ、第１の受信アンテナ４２′および第２の受信アンテナ４４′は、それぞれ、この例ではＸ方向に延在するダイポールアンテナからなっている。第３の送信アンテナ４１Ｘは、ベース部４０１から外れて−Ｙ側に隣り合う位置に配置されている。第１の受信アンテナ４２′は、ベルト２０（ベース部４０１）の内周面２０ａに沿って配置されている。また、第２の受信アンテナ４４′は、ベルト２０（ベース部４０１）の外周面２０ｂに沿って配置されている。これにより、装着状態では、図３０（Ｂ）に示すように、第３の送信アンテナ４１Ｘは、左手首９０の橈骨動脈９１と心臓８１との両方に対向する。第１の受信アンテナ４２′は左手首９０の橈骨動脈９１に対向し、また、第２の受信アンテナ４４′は心臓８１に対向する。この例では、第３の送信アンテナ４１Ｘと第１の受信アンテナ４２′とが第１の送受信アンテナ対（４１Ｘ，４２′）をなし、また、第３の送信アンテナ４１Ｘと第２の受信アンテナ４４′とが第２の送受信アンテナ対（４１Ｘ，４４′）をなす。これらの第１の送受信アンテナ対（４１Ｘ，４２′）、第２の送受信アンテナ対（４１Ｘ，４４′）は、それぞれＹ方向に並んで配置されている。その意味で、図３０（Ａ）上部に、アンテナ配置を符号（Ａｙ，Ａｙ）で表している。
【０１３０】
図３１（Ａ）は送受信アンテナ群４０Ｅ′の断面構造を示している。この例では、ベルト２０の内周面２０ａ、外周面２０ｂに、それぞれ基板４１０′，４２０′を介して、第１の受信アンテナ４２′、第２の受信アンテナ４４′が取り付けられている。基板４１０′，４２０′は、既述の基板４１０，４２０と同じ断面構造をもち、Ｙ方向寸法がより小さく設定されている。この例では、第３の送信アンテナ４１Ｘは、ベルト２０の内周面２０ａに沿って配置されている。第３の送信アンテナ４１Ｘと基板４１０′とは給電線４１ｓ，４１ｔで接続されている。なお、第３の送信アンテナ４１Ｘは、ベルト２０の外周面２０ｂに沿って配置され、基板４２０′と給電線４１ｓ，４１ｔで接続されていてもよい。また、図３１（Ｂ）に示すように、ベルト２０の内周面２０ａ側および外周面２０ｂ側が平坦になるように、第３の送信アンテナ４１Ｘ、第１の受信アンテナ４２′および第２の受信アンテナ４４′はベルト（符号２０″で表す。）に埋め込まれていてもよい。この例では、ベルト２０″の厚さは８ｍｍに設定されている。このようにした場合、図６（Ｂ）に関して述べたのと同様に、ベルト２０″の内周面２０ａ側が平坦になっているので、ベルト２０″を装着した被験者８０に不快感（ベルトの内周面側が凸凹になっていることによる不快感）を与えることがない。また、ベルト２０″の外周面２０ｂ側が平坦になっているので、仮に被験者８０の活動に伴ってベルト２０″の外周面２０ｂが机や壁などに接触したとしても、この血圧計１の送受信アンテナ群４０Ｅ′は、破損し難くなる。また、見栄えを良くすることができる。
【０１３１】
図３３に示すように、各ダイポールアンテナ（この例では、代表して第３の送信アンテナ４１Ｘを示す。）は、直線的に互いに反対向きに延びる一対のエレメント４１Ｘａ，４１Ｘｂを含んでいる。各エレメント４１Ｘａ，４１Ｘｂの長さは、用いられる周波数の約１／４波長に設定されている。動作時には、エレメント４１Ｘａ，４１Ｘｂが互いに最も接近した箇所に、給電線４１ｓ，４１ｔを介して給電が行われる。図３３中に示すように、各ダイポールアンテナは、エレメント４１Ｘａ，４１Ｘｂが延在する方向（この例では、Ｘ方向）に沿った直線偏波Ｐｘを示す。したがって、第１の送受信アンテナ対（４１Ｘ，４２′）、第２の送受信アンテナ対（４１Ｘ，４４′）の偏波方向は、いずれも直線偏波Ｐｘとなる。図３４（Ａ）上部に、アンテナ配置の符号（Ａｙ，Ａｙ）とともに、この偏波方向の組合せを符号（Ｐｘ，Ｐｘ）で表している。なお、図３４（Ａ），図３４（Ｂ）は、図３０（Ａ），図３０（Ｂ）にそれぞれ指向性と偏波方向を追記したものである。
【０１３２】
また、図３２中に示すように、各ダイポールアンテナは、エレメント４１Ｘａ，４１Ｘｂに垂直な面内では円形の指向性を示し、エレメント４１Ｘａ，４１Ｘｂを含む面内では８の字形の指向性を示す。これにより、図３４（Ａ）に示すＸＹ平面内では、第３の送信アンテナ４１Ｘは、破線で示すＸ方向に細長い８の字形の指向性Ｄ４１Ｘを示す。第２の受信アンテナ４４′も、２点鎖線で示すＸ方向に細長い８の字形の指向性Ｄ４４′を示す。また、図３４（Ｂ）に示すＹＺ平面内では、第３の送信アンテナ４１Ｘは、破線で示す円形の指向性Ｄ４１Ｘを示す。第１の受信アンテナ４２は、ベース部４０１（遮蔽層としての銅層４１２，４２２を含む）で遮られて、２点鎖線で示す半円形の指向性（−Ｚ方向に広がる）Ｄ４２′を示す。同様に、第２の受信アンテナ４４′は、ベース部４０１で遮られて、２点鎖線で示す半円形の指向性（＋Ｚ方向に広がる）Ｄ４４′を示す。
【０１３３】
この例では、図３５に示すように、送受信部４０の送受信回路群４５′は、第３の送信アンテナ４１Ｘに接続された送信回路４６Ｘと、受信アンテナ４２′，４４′にそれぞれ接続された受信回路４７，４９とを含んでいる。送信回路４６Ｘは、その動作時に、接続された第３の送信アンテナ４１Ｘを介して、この例では２４ＧＨｚ帯の周波数ｆ１（この例では、ｆ１＝２４．０５ＧＨｚとする。）の電波Ｅ１，Ｅ２をそれぞれ橈骨動脈９１、心臓８１へ向けて発射する（実際には、図３４（Ｂ）中に示したようにＹＺ平面内で等方位に発射する。）。受信回路４７は、左手首９０の橈骨動脈９１によって反射された電波Ｅ１′を、送信回路４６Ｘからの参照信号（周波数ｆ１）に基づいて特定し、第１の受信アンテナ４２′を介して受信して、検波および増幅する。一方、受信回路４９は、心臓８１によって反射された電波Ｅ２′を、送信回路４６Ｘからの参照信号（周波数ｆ１）に基づいて特定し、第２の受信アンテナ４４′を介して受信して、検波および増幅する。この例では、送受信部４０に送受信回路群４５が搭載されているので、送信回路４６Ｘから第３の送信アンテナ４１Ｘまでの給電経路を比較的短くでき、電波Ｅ１，Ｅ２の波形の劣化を抑制できる。また、各受信アンテナ４２′，４４′から受信回路４７，４９までの受信経路を比較的短くできる。また、ベース部４０１（遮蔽層としての銅層４１２，４２２を含む）が第１の受信アンテナ４２′と第２の受信アンテナ４４′との間で電波を遮蔽するので、脈波信号ＰＳ１と拍動信号ＰＳ２との間の干渉が抑制される。これらの結果、脈波信号ＰＳ１、拍動信号ＰＳ２を精度良く取得できる。
【０１３４】
また、この例では、既述の第１の送信アンテナ４１と第２の送信アンテナ４３とを共通化した第３の送信アンテナ４１Ｘを備えているので、血圧計１の構成を簡素化できる。
【０１３５】
（変形例６；周波数のバリエーション）
上の例では、図３５中に示したように、受信回路４７によって受信される電波Ｅ１′の周波数と、受信回路４９によって受信される電波Ｅ２′の周波数とが、互いに同じ周波数ｆ１であるものとした。しかしながら、これに限られるものではない。例えば、図３６中に示すように、第３の送信アンテナ４１Ｘは、左手首９０の橈骨動脈９１へ向けて互いに異なる第１の周波数成分ｆ１と第２の周波数成分ｆ２とを含む電波Ｅ１を発射するとともに、心臓８１へ向けて互いに異なる第１の周波数成分ｆ１と第２の周波数成分ｆ２とを含む電波Ｅ２を発射する。この例では、ｆ１＝２４．０５ＧＨｚとし、ｆ２＝２４．２５ＧＨｚとする。さらに、受信回路４７は、左手首９０の橈骨動脈９１によって反射された電波Ｅ１′のうち第１の周波数成分ｆ１に相当する成分を、送信回路４６Ｘからの参照信号（周波数ｆ１）に基づいて特定し、第１の受信アンテナ４２′を介して受信して、検波および増幅する。一方、受信回路４９は、心臓８１によって反射された電波Ｅ２′のうち第２の周波数成分ｆ２に相当する成分を、送信回路４６Ｘからの参照信号（周波数ｆ２）に基づいて特定し、第２の受信アンテナ４４′を介して受信して、検波および増幅する。
【０１３６】
このようにした場合、左手首９０の橈骨動脈９１によって反射された電波Ｅ１′と、心臓８１によって反射された電波Ｅ２′とを、互いに周波数ｆ１，ｆ２で選別して混信を避けることができる。この結果、脈波信号ＰＳ１、拍動信号ＰＳ２をさらに精度良く取得できる。
【０１３７】
（変形例７；アンテナ配置と偏波方向のバリエーション）
上の例では、例えば図３４（Ａ），図３４（Ｂ）中に示したように、第１の送受信アンテナ対（４１Ｘ，４２′）がＹ方向に並び、かつ、第２の送受信アンテナ対（４１Ｘ，４４′）がＹ方向に並ぶアンテナ配置（Ａｙ，Ａｙ）である場合に、第１の送受信アンテナ対（４１Ｘ，４２′）の偏波方向、第２の送受信アンテナ対（４１Ｘ，４４′）の偏波方向を、いずれも直線偏波Ｐｘであるものとした。しかしながら、これに限られるものではない。例えば図３７（Ａ），図３７（Ｂ）中に示すように、第１の送受信アンテナ対（４１Ｘ，４２′）がＹ方向に並び、かつ、第２の送受信アンテナ対（４１Ｘ，４４′）がＹ方向に並ぶアンテナ配置（Ａｙ，Ａｙ）である場合に、第１の送受信アンテナ対（４１Ｘ，４２′）の偏波方向、第２の送受信アンテナ対（４１Ｘ，４４′）の偏波方向を、いずれも直線偏波Ｐｙにしてもよい。この例では、既述のベース部４０１に代えて、図３７（Ａ）中に示すように、ＸＹ平面内で、Ｙ方向に延在するストレート部４０２ａと、このストレート部４０２ａに連なりＸ方向に延在するストレート部４０２ｂとを含む、略Ｌ字状の平面形状をもつベース部４０２を備えている。ベース部４０２の断面構造は、ベース部４０１の断面構造と同じになっている。第３の送信アンテナ４１Ｘは、ベース部４０２から外れてＬ字の窪みに相当する位置に、Ｙ方向に延在して配置されている。図３７（Ｂ）中に示すように、第１の受信アンテナ４２′は、ベルト２０（ベース部４０２）の内周面２０ａに沿って、Ｙ方向に延在して配置されている。また、第２の受信アンテナ４４′は、ベルト２０（ベース部４０２）の外周面２０ｂに沿って、Ｙ方向に延在して配置されている。したがって、第１の送受信アンテナ対（４１Ｘ，４２′）、第２の送受信アンテナ対（４１Ｘ，４４′）の偏波方向は、いずれも直線偏波Ｐｙとなる。図３７（Ａ）上部に、アンテナ配置の符号（Ａｙ，Ａｙ）とともに、この偏波方向の組合せを符号（Ｐｙ，Ｐｙ）で表している。この例では、図３７（Ａ）に示すＸＹ平面内では、第３の送信アンテナ４１Ｘは、破線で示すＸ方向に細長い８の字形の指向性Ｄ４１Ｘを示す。第２の受信アンテナ４４′も、２点鎖線で示すＸ方向に細長い８の字形の指向性Ｄ４４′を示す（第１の受信アンテナ４２′も同様である。）。図３７（Ｂ）に示すＹＺ平面内では、第３の送信アンテナ４１Ｘは、破線で示すＸ方向に細長い８の字形の指向性Ｄ４１Ｘを示す。第１の受信アンテナ４２′は、ベース部４０２（遮蔽層としての銅層４１２，４２２を含む）で遮られて、２点鎖線で示す円形の指向性（−Ｚ方向に広がる）Ｄ４２′を示す。同様に、第２の受信アンテナ４４′は、ベース部４０２で遮られて、２点鎖線で示す円形の指向性（＋Ｚ方向に広がる）Ｄ４４′を示す。装着状態では、図３７（Ｂ）に示すように、第３の送信アンテナ４１Ｘは、左手首９０の橈骨動脈９１と心臓８１との両方に対向する。第１の受信アンテナ４２′は左手首９０の橈骨動脈９１に対向し、また、第２の受信アンテナ４４′は心臓８１に対向する。したがって、動作時に、左手首９０の橈骨動脈９１と心臓８１との両方へ向けて電波Ｅ１，Ｅ２を発射することができ、また、橈骨動脈９１と心臓８１とによってそれぞれ反射された電波Ｅ１′，Ｅ２′を受信することができる。
【０１３８】
また、例えば図３８（Ａ），図３８（Ｂ）中に示すように、第１の送受信アンテナ対（４１Ｘ，４２′）がＸ方向に並び、かつ、第２の送受信アンテナ対（４１Ｘ，４４′）がＸ方向に並ぶアンテナ配置（Ａｘ，Ａｘ）である場合に、第１の送受信アンテナ対（４１Ｘ，４２′）の偏波方向、第２の送受信アンテナ対（４１Ｘ，４４′）の偏波方向を、いずれも直線偏波Ｐｙにしてもよい。この例では、既述のベース部４０１に代えて、図３８（Ａ）中に示すように、ＸＹ平面内で、ベース部４０１に比してＸ方向寸法が短く且つＹ方向寸法が長い小型のベース部４０３を備えている。ベース部４０３の断面構造は、ベース部４０１の断面構造と同じになっている。第３の送信アンテナ４１Ｘは、ベース部４０３から外れて−Ｘ側に隣り合う位置に配置されている。図３８（Ｂ）中に示すように、第１の受信アンテナ４２′は、ベルト２０（ベース部４０３）の内周面２０ａに沿って、Ｙ方向に延在して配置されている。また、第２の受信アンテナ４４′は、ベルト２０（ベース部４０３）の外周面２０ｂに沿って、Ｙ方向に延在して配置されている。したがって、第１の送受信アンテナ対（４１Ｘ，４２′）、第２の送受信アンテナ対（４１Ｘ，４４′）の偏波方向は、いずれも直線偏波Ｐｙとなる。図３８（Ａ）上部に、アンテナ配置の符号（Ａｘ，Ａｘ）とともに、この偏波方向の組合せを符号（Ｐｙ，Ｐｙ）で表している。この例では、図３８（Ａ）に示すＸＹ平面内では、第３の送信アンテナ４１Ｘは、破線で示すＸ方向に細長い８の字形の指向性Ｄ４１Ｘを示す。第２の受信アンテナ４４′も、２点鎖線で示すＸ方向に細長い８の字形の指向性Ｄ４４′を示す（第１の受信アンテナ４２′も同様である。）。図３８（Ｂ）に示すＺＸ平面内では、第３の送信アンテナ４１Ｘは、破線で示す円形の指向性Ｄ４１Ｘを示す。第１の受信アンテナ４２′は、ベース部４０３（遮蔽層としての銅層４１２，４２２を含む）で遮られて、２点鎖線で示す半円形の指向性（−Ｚ方向に広がる）Ｄ４２′を示す。同様に、第２の受信アンテナ４４′は、ベース部４０２で遮られて、２点鎖線で示す半円形の指向性（＋Ｚ方向に広がる）Ｄ４４′を示す。先の例と同様に、装着状態では、図３８（Ｂ）に示すように、第３の送信アンテナ４１Ｘは、左手首９０の橈骨動脈９１と心臓８１との両方に対向する。第１の受信アンテナ４２′は左手首９０の橈骨動脈９１に対向し、また、第２の受信アンテナ４４′は心臓８１に対向する。したがって、動作時に、左手首９０の橈骨動脈９１と心臓８１との両方へ向けて電波Ｅ１，Ｅ２を発射することができ、また、橈骨動脈９１と心臓８１とによってそれぞれ反射された電波Ｅ１′，Ｅ２′を受信することができる。
【０１３９】
また、例えば図３９（Ａ），図３９（Ｂ）中に示すように、第１の送受信アンテナ対（４１Ｘ，４２′）がＸ方向に並び、かつ、第２の送受信アンテナ対（４１Ｘ，４４′）がＸ方向に並ぶアンテナ配置（Ａｘ，Ａｘ）である場合に、第１の送受信アンテナ対（４１Ｘ，４２′）の偏波方向、第２の送受信アンテナ対（４１Ｘ，４４′）の偏波方向を、いずれも直線偏波Ｐｘにしてもよい。この例では、既述のベース部４０１に代えて、図３９（Ａ）中に示すように、ＸＹ平面内で、Ｘ方向に延在するストレート部４０４ａと、このストレート部４０４ａに連なりＹ方向に延在するストレート部４０４ｂとを含む、略Ｌ字状の平面形状をもつベース部４０４を備えている。ベース部４０４の断面構造は、ベース部４０１の断面構造と同じになっている。第３の送信アンテナ４１Ｘは、ベース部４０４から外れてＬ字の窪みに相当する位置に、Ｘ方向に延在して配置されている。図３９（Ｂ）中に示すように、第１の受信アンテナ４２′は、ベルト２０（ベース部４０４）の内周面２０ａに沿って、Ｘ方向に延在して配置されている。また、第２の受信アンテナ４４′は、ベルト２０（ベース部４０４）の外周面２０ｂに沿って、Ｘ方向に延在して配置されている。したがって、第１の送受信アンテナ対（４１Ｘ，４２′）、第２の送受信アンテナ対（４１Ｘ，４４′）の偏波方向は、いずれも直線偏波Ｐｘとなる。図３９（Ａ）上部に、アンテナ配置の符号（Ａｘ，Ａｘ）とともに、この偏波方向の組合せを符号（Ｐｘ，Ｐｘ）で表している。この例では、図３９（Ａ）に示すＸＹ平面内では、第３の送信アンテナ４１Ｘは、破線で示すＹ方向に細長い８の字形の指向性Ｄ４１Ｘを示す。第２の受信アンテナ４４′も、２点鎖線で示すＹ方向に細長い８の字形の指向性Ｄ４４′を示す（第１の受信アンテナ４２′も同様である。）。図３９（Ｂ）に示すＺＸ平面内では、第３の送信アンテナ４１Ｘは、破線で示すＺ方向に細長い８の字形の指向性Ｄ４１Ｘを示す。第１の受信アンテナ４２′は、ベース部４０３（遮蔽層としての銅層４１２，４２２を含む）で遮られて、２点鎖線で示す円形の指向性（−Ｚ方向に広がる）Ｄ４２′を示す。同様に、第２の受信アンテナ４４′は、ベース部４０２で遮られて、２点鎖線で示す円形の指向性（＋Ｚ方向に広がる）Ｄ４４′を示す。先の例と同様に、装着状態では、図３９（Ｂ）に示すように、第３の送信アンテナ４１Ｘは、左手首９０の橈骨動脈９１と心臓８１との両方に対向する。第１の受信アンテナ４２′は左手首９０の橈骨動脈９１に対向し、また、第２の受信アンテナ４４′は心臓８１に対向する。したがって、動作時に、左手首９０の橈骨動脈９１と心臓８１との両方へ向けて電波Ｅ１，Ｅ２を発射することができ、また、橈骨動脈９１と心臓８１とによってそれぞれ反射された電波Ｅ１′，Ｅ２′を受信することができる。
【０１４０】
（被測定部位のバリエーション）
これまでの例では、血圧計１は、被測定部位として左手首９０に装着されることが予定されているものとした。しかしながら、これに限られるものではない。被測定部位は、動脈が通っていれば良く、右手首や、手首以外の上腕、前腕、手、指などの上肢であっても良い。
【０１４１】
例えば図１を用いて説明すると、被測定部位が上腕である場合は、被験者８０は、上腕に対してベルト２０を送受信部４０が体の内側（体幹８２側）にくる配置で装着し、「推奨測定姿勢」として、上腕を体幹８２の側方に沿わせた姿勢を取るものとする。すると、第１の送受信アンテナ対（４１，４２）は上腕の動脈９１に対向し、また、第２の送受信アンテナ対（４３，４４）は心臓８１に対向する。その場合の動作時にも、第１の送受信アンテナ対（４１，４２）と上腕の動脈９１との間の距離は約５ｍｍ、第２の送受信アンテナ対（４３，４４）と心臓８１との間の距離は約５０ｍｍに、それぞれ想定されている。それらの距離を前提として、第１の送信アンテナ４１、第２の送信アンテナ４３が発射する電波強度のレベルは、それぞれ約０．５ｍＷ、約１０ｍＷになっている。受信アンテナ４２，４４の受信レベルは、それぞれ約１μＷ、約０．２μＷ程度になっている。受信回路４７，４９の出力レベルは、それぞれ約１ボルト程度になっている。また、脈波信号ＰＳ１、拍動信号ＰＳ２のそれぞれのピークＡ１，Ａ２の強度レベルは、それぞれ約１００ｍＶ〜１ボルトの程度になっている。これにより、脈波信号ＰＳ１、拍動信号ＰＳ２を精度良く取得できる。
【０１４２】
（制御系のバリエーション）
また、これまでの例では、血圧計１に搭載されたＣＰＵ１００が脈波検出部１０１、拍動検出部１０２、ＰＴＴ算出部１０３、第１および第２の血圧算出部１０４，２０４として働いて、オシロメトリック法による血圧測定（図１１の動作フロー）およびＰＴＴに基づく血圧測定（推定）（図１４の動作フロー）を実行するものとした。しかしながら、これに限られるものではない。例えば、血圧計１の外部に設けられたスマートフォンなどの実質的なコンピュータ装置が、脈波検出部１０１、拍動検出部１０２、ＰＴＴ算出部１０３、第１および第２の血圧算出部１０４，２０４として働いて、ネットワーク９００を介して、血圧計１にオシロメトリック法による血圧測定（図１１の動作フロー）およびＰＴＴに基づく血圧測定（推定）（図１４の動作フロー）を実行させるようにしてもよい。その場合、ユーザは、そのコンピュータ装置の操作部（タッチパネル、キーボード、マウスなど）によって血圧測定開始又は停止の指示などの操作を行い、そのコンピュータ装置の表示器（有機ＥＬディスプレイ、ＬＣＤなど）によって血圧測定結果などの血圧測定に関する情報、その他の情報を表示させることができる。その場合、血圧計１では、表示器５０と操作部５２を省略してもよい。
【０１４３】
また、血圧計１または上記コンピュータ装置が、予め測定時刻を設定可能なタイマを備え、現在時刻がそのタイマに設定された測定時刻になった（または近づいた）とき、その旨を表示や音声で被験者に通知して、推奨測定姿勢を取るように促してもよい。なお、ユーザが推奨測定姿勢を取っていない場合は、血圧計１または上記コンピュータ装置は動作しない（脈波測定をしない）でもよいし、血圧測定（推定）を行わず脈波検出部のみ動作させてもよい。
【０１４４】
（生体情報のバリエーション）
上述の例では、血圧計１によって、生体情報としての脈波信号、拍動信号、脈波伝播時間、血圧を測定したが、これに限られるものではない。脈拍数などの他の様々な生体情報を測定してもよい。
【０１４５】
（機器としてのバリエーション）
また、この発明に従って、生体情報測定装置および／または血圧測定装置を含み、さらに他の機能を実行する機能部を含む機器を構成してもよい。この機器によれば生体情報を精度良く測定でき、生体情報として特に脈波信号、拍動信号を精度良く取得でき、または、血圧値を精度良く算出（推定）できる。その他、この機器は様々な機能を実行することができる。
【０１４６】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１４７】
１  血圧計
１０  本体
２０，２０′，２０″  ベルト
２０Ｃ  帯状体
２１  押圧カフ
４０  送受信部
４０Ｅ，４０Ｅ′  送受信アンテナ群
４０−１  第１のセンサ
４０−２  第２のセンサ
４１  第１の送信アンテナ
４１Ｘ  第３の送信アンテナ
４２，４２′  第１の受信アンテナ
４３  第２の送信アンテナ
４４，４４′  第２の受信アンテナ
４５，４５′  送受信回路群
１００  ＣＰＵ
１１０  生体情報検出部
ＭＤ  生体情報検出装置
【図１】
2019071961.tif 000003
【図２】
2019071961.tif 000004
【図３】
2019071961.tif 000005
【図４】
2019071961.tif 000006
【図５】
2019071961.tif 000007
【図６】
2019071961.tif 000008
【図７】
2019071961.tif 000009
【図８】
2019071961.tif 000010
【図９】
2019071961.tif 000011
【図１０】
2019071961.tif 000012
【図１１】
2019071961.tif 000013
【図１２】
2019071961.tif 000014
【図１３】
2019071961.tif 000015
【図１４】
2019071961.tif 000016
【図１５】
2019071961.tif 000017
【図１６】
2019071961.tif 000018
【図１７】
2019071961.tif 000019
【図１８】
2019071961.tif 000020
【図１９】
2019071961.tif 000021
【図２０】
2019071961.tif 000022
【図２１】
2019071961.tif 000023
【図２２】
2019071961.tif 000024
【図２３】
2019071961.tif 000025
【図２４】
2019071961.tif 000026
【図２５】
2019071961.tif 000027
【図２６】
2019071961.tif 000028
【図２７】
2019071961.tif 000029
【図２８】
2019071961.tif 000030
【図２９】
2019071961.tif 000031
【図３０】
2019071961.tif 000032
【図３１】
2019071961.tif 000033
【図３２】
2019071961.tif 000034
【図３３】
2019071961.tif 000035
【図３４】
2019071961.tif 000036
【図３５】
2019071961.tif 000037
【図３６】
2019071961.tif 000038
【図３７】
2019071961.tif 000039
【図３８】
2019071961.tif 000040
【図３９】
2019071961.tif 000041